(57)【要約】【課題】  広画角、高ズーム比、および全ズーム範囲にわたる高い光学性能の点で有利なズームレンズを提供すること。【解決手段】  ズームレンズは、物体側から像側へ順に、正の屈折力を有する第１レンズ群（Ｌ１）と、負の屈折力を有する第２レンズ群（Ｌ２）と、変倍のために移動する少なくとも１つのレンズ群（Ｌ３−Ｌ６）とを含み、隣り合うレンズ群の各組は、変倍のために間隔が変化し、変倍のために移動する当該少なくとも１つのレンズ群に含まれる正の屈折力を有するレンズ群ＶＰは、正レンズＧｐを含み、正レンズＧｐのアッベ数および部分分散比をそれぞれνｄおよびθｇＦとして、条件式  θｇＦ−（−１．６６５０×１０−７・νｄ３＋５．２１３０×１０−５・νｄ２−５．６５６０×１０−３・νｄ＋０．７３７０）＞０、  ０．５４５０＜θｇＦ、および  ５０．０＜νｄ＜８５．０を満足する。【選択図】  図１
2020012870.tif 000002
【特許請求の範囲】
【請求項１】
物体側から像側へ順に、正の屈折力を有する第１レンズ群と、負の屈折力を有する第２レンズ群と、変倍のために移動する少なくとも１つのレンズ群とを含み、隣り合うレンズ群の各組は、変倍のために間隔が変化し、変倍のために移動する前記少なくとも１つのレンズ群に含まれる正の屈折力を有するレンズ群ＶＰは、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズ。
ここで、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をぞれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
前記正レンズＧｐの焦点距離をｆｐとし、ズームレンズの広角端での焦点距離をｆｗとして、条件式
２．５＜ｆｐ／ｆｗ＜４０
を満足することを特徴とする請求項１に記載のズームレンズ。
【請求項３】
前記レンズ群ＶＰを構成するレンズのうち、前記正レンズＧｐのアッベ数および部分分散比をそれぞれνｐおよびθｐとし、前記正レンズＧｐに広角端で最も近い負レンズのアッベ数および部分分散比をそれぞれνｎおよびθｎとして、条件式
−２．３×１０−３＜（θｐ−θｎ）／（νｐ−νｎ）＜１．３×１０−３
を満足することを特徴とする請求項１または請求項２に記載のズームレンズ。
【請求項４】
前記正レンズＧｐのｄ線に対する屈折率をｎｄとして、条件式
１．５５０＜ｎｄ＜１．７５０
を満足することを特徴とする請求項１ないし請求項３のうちいずれか１項に記載のズームレンズ。
【請求項５】
前記レンズ群ＶＰの広角端での横倍率および望遠端での横倍率をそれぞれβｖｐｗおよびβｖｐｔとして、条件式
｜βｖｐｔ／βｖｐｗ｜＜２５０
を満足することを特徴とする請求項１ないし請求項４のうちいずれか１項に記載のズームレンズ。
【請求項６】
条件式
θｇＦ＜０．６０００
を満足することを特徴とする請求項１ないし請求項５のうちいずれか１項に記載のズームレンズ。
【請求項７】
変倍のために移動する前記少なくとも１つのレンズ群は、変倍のために移動する１つないし３つのレンズ群のうちのいずれかから構成されていることを特徴とする請求項１ないし請求項６のうちいずれか１項に記載のズームレンズ。
【請求項８】
前記第１レンズ群は、合焦のために移動するレンズ群を含むことを特徴とする請求項１ないし請求項７のうちいずれか１項に記載のズームレンズ。
【請求項９】
変倍のために移動する前記少なくとも１つのレンズ群は、合焦のために移動するレンズ群を含むことを特徴とする請求項１ないし請求項７のうちいずれか１項に記載のズームレンズ。
【請求項１０】
請求項１ないし請求項９のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関するものである。
【背景技術】
【０００２】
例えば、スチルカメラ、ビデオカメラ、テレビカメラ、シネマカメラおよび監視カメラ等のカメラ（撮像装置）の高機能化にともない、それに用いるズームレンズには、高変倍比、大口径比、および高い光学性能が求められている。特に、プロフェッショナル・ユースのためのテレビカメラや映画用カメラにおけるＣＣＤやＣＭＯＳデバイス等の撮像デバイスは、撮像範囲全体にわたる解像力の均一性に優れている。それゆえ、ズームレンズには、その像面における解像力の均一性や色収差の少なさが要求されている。
【０００３】
物体側から像側へ順に、変倍のためには移動しない正の屈折力のレンズ群と、変倍のために移動する負の屈折力のレンズ群と、変倍のために移動する正の屈折力のレンズ群とを含むポジティブリード型のズームレンズが知られている（特許文献１）。第１レンズ群が正の屈折力を有するポジティブリード型のズームレンズは、第１レンズ群が負の屈折力を有するネガティブリード型のズームレンズに比して、高変倍比化に有利である。
【先行技術文献】
【特許文献】
【０００４】
【特許文献１】特開２０１６−０１２１１８号公報
【発明の概要】
【発明が解決しようとする課題】
【０００５】
高い変倍比および高い光学性能を有するズームレンズは、全変倍範囲において軸上色収差と倍率色収差とがバランスよく補正されている必要がある。しかしながら、小型化のためにレンズの枚数を少なくしつつ各レンズ群の屈折力を強めると、諸収差が増大し、高い光学性能を得るのが困難となる。広画角および高変倍比を達成しようとすると、全変倍範囲における軸上色収差および倍率色収差の十分な補正は困難であった。
【０００６】
軸上色収差を補正するためには、開口絞りの付近に配置された正の屈折力を有するレンズ（正レンズ）に異常分散性を有する材料を使用するのが有効である。特に、全変倍範囲において倍率色収差のみならず軸上色収差を補正するためには、絞りからの距離の小さいレンズに上述の材料を使用するのが有効である。当該レンズは、軸上色収差に関わる軸上マージナル光線が光軸に対して比較的高い位置を通り、倍率色収差に関わる瞳近軸光線が光軸に対して比較的低い位置を通る。それゆえ、当該レンズに上述の材料を使用することは、倍率色収差への影響は軽減しつつ全変倍範囲にわたる軸上色収差を補正するのに有利である。すなわち、軸上色収差と倍率色収差とをバランスよく補正するのに有利である。
【０００７】
本発明は、例えば、広画角、高変倍比、および全変倍範囲にわたる高い光学性能の点で有利なズームレンズを提供することを目的とする。
【課題を解決するための手段】
【０００８】
本発明の一つの側面は、物体側から像側へ順に、正の屈折力を有する第１レンズ群と、負の屈折力を有する第２レンズ群と、変倍のために移動する少なくとも１つのレンズ群とを含み、隣り合うレンズ群の各組は、変倍のために間隔が変化し、変倍のために移動する前記少なくとも１つのレンズ群に含まれる正の屈折力を有するレンズ群ＶＰは、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズである。
【０００９】
但し、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【００１０】
本発明によれば、例えば、広画角、高変倍比、および全変倍範囲にわたる高い光学性能の点で有利なズームレンズを提供することができる。
【図面の簡単な説明】
【００１１】
【図１】実施例１に係るズームレンズの広角端での断面図
【図２】実施例１に係るズームレンズの収差図
【図３】実施例２に係るズームレンズの広角端での断面図
【図４】実施例２に係るズームレンズの収差図
【図５】実施例３に係るズームレンズの広角端での断面図
【図６】実施例３に係るズームレンズの収差図
【図７】実施例４に係るズームレンズの広角端での断面図
【図８】実施例４に係るズームレンズの収差図
【図９】実施例５に係るズームレンズの広角端での断面図
【図１０】実施例５に係るズームレンズの収差図
【図１１】実施例６に係るズームレンズの広角端での断面図
【図１２】実施例６に係るズームレンズの収差図
【図１３】実施例７に係るズームレンズの広角端での断面図
【図１４】実施例７に係るズームレンズの収差図
【図１５】実施例８に係るズームレンズの広角端での断面図
【図１６】実施例８に係るズームレンズの収差図
【図１７】実施例９に係るズームレンズの広角端での断面図
【図１８】実施例９に係るズームレンズの収差図
【図１９】実施例１０に係るズームレンズの広角端での断面図
【図２０】実施例１０に係るズームレンズの収差図
【図２１】実施例１１に係るズームレンズの広角端での断面図
【図２２】実施例１１に係るズームレンズの収差図
【図２３】θｇＦ−νｄ図
【図２４】実施形態に係る撮像装置の構成例を示す図
【発明を実施するための形態】
【００１２】
以下、添付図面を参照して本発明の実施形態を説明する。なお、実施形態を説明するための全図を通して、原則として（断りのない限り）、同一の部材等には同一の符号を付し、その繰り返しの説明は省略する。
【００１３】
〔ズームレンズに係る実施形態〕
本実施形態のズームレンズは、物体側から像側へ順に、正の屈折力を有する第１レンズ群と、負の屈折力を有する第２レンズ群と、変倍のために移動する少なくとも１つのレンズ群とを含む。隣り合うレンズ群の各組は、変倍のために間隔が変化する。変倍のために移動する当該少なくとも１つのレンズ群に含まれる正の屈折力を有するレンズ群ＶＰは、正レンズＧｐを含む。正レンズＧｐのアッベ数および部分分散比をそれぞれνｄおよびθｇＦとして、以下の条件式を満足するものとしている。当該条件式は、
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
である。
【００１４】
但し、アッべ数νｄおよび部分分散比θｇＦは、それぞれ後述の２式で表される。ここで、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとする。当該２式は、
νｄ＝（Ｎｄ−１）／（ＮＦ−ＮＣ）、および
θｇＦ＝（Ｎｇ−ＮＦ）／（ＮＦ−ＮＣ）
である。
【００１５】
以下、本実施形態における実施例を説明する。
【００１６】
＜実施例１＞
図１は、実施例１に係るズームレンズの広角端での断面図である。図２は、実施例１に係るズームレンズの収差図である。図２において、（Ａ）および（Ｂ）は、それぞれ広角端での収差図および望遠端での収差図である。
【００１７】
第１レンズ群Ｌ１、開口絞りＳＰ、および第５レンズ群Ｌ５は、いずれも変倍（ズーミング）のためには不動である。広角端から望遠端への変倍のために、第２レンズ群Ｌ２は、像側へ移動し、第３レンズ群Ｌ３および第４レンズ群Ｌ４は、いずれも物体側へ移動する。
【００１８】
＜実施例２＞
図３は、実施例２に係るズームレンズの広角端での断面図である。図４は、実施例２に係るズームレンズの収差図である。図４において、（Ａ）および（Ｂ）は、それぞれ広角端での収差図および望遠端での収差図である。
【００１９】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも物体側へ移動する。
【００２０】
＜実施例３＞
図５は、実施例３に係るズームレンズの広角端での断面図である。図６は、実施例３に係るズームレンズの収差図である。図６において、（Ａ）および（Ｂ）は、それぞれ広角端での収差図および望遠端での収差図である。
【００２１】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも物体側へ移動する。
【００２２】
＜実施例４＞
図７は、実施例４に係るズームレンズの広角端での断面図である。図８は、実施例４に係るズームレンズの収差図である。図８において、（Ａ）および（Ｂ）は、それぞれ広角端での収差図および望遠端での収差図である。
【００２３】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも物体側へ移動する。
【００２４】
＜実施例５＞
図９は、実施例５に係るズームレンズの広角端での断面図である。図１０は、実施例５に係るズームレンズの収差図である。図１０において、（Ａ）および（Ｂ）は、それぞれ広角端での収差図および望遠端での収差図である。
【００２５】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも物体側へ移動する。
【００２６】
＜実施例６＞
図１１は、実施例６に係るズームレンズの広角端での断面図である。図１２は、実施例６に係るズームレンズの収差図である。図１２において、（Ａ）および（Ｂ）は、それぞれ広角端での収差図および望遠端での収差図である。
【００２７】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも物体側に凸の軌跡で移動する。
【００２８】
＜実施例７＞
図１３は、実施例７に係るズームレンズの広角端での断面図である。図１４は、実施例７に係るズームレンズの収差図である。図１４において、（Ａ）および（Ｂ）は、それぞれ広角端での収差図および望遠端での収差図である。
【００２９】
第１レンズ群Ｌ１および第５レンズ群Ｌ５は、いずれも変倍のためには不動である。広角端から望遠端への変倍のために、第２レンズ群Ｌ２は、像側へ移動し、第３レンズ群Ｌ３、開口絞りＳＰ、および第４レンズ群Ｌ４は、いずれも物体側に凸の軌跡で移動する。
【００３０】
＜実施例８＞
図１５は、実施例８に係るズームレンズの広角端での断面図である。図１６は、実施例８に係るズームレンズの収差図である。図１６において、（Ａ）および（Ｂ）は、それぞれ広角端での収差図および望遠端での収差図である。
【００３１】
第１レンズ群Ｌ１、開口絞りＳＰ、および第６レンズ群Ｌ６は、いずれも変倍のためには不動である。広角端から望遠端への変倍のために、第２レンズ群Ｌ２、第３レンズ群Ｌ３、および第４レンズ群Ｌ４は、いずれも像側へ移動し、第５レンズ群Ｌ５は、像面の移動を補償（コンペンセート）するように移動する。
【００３２】
＜実施例９＞
図１７は、実施例９に係るズームレンズの広角端での断面図である。図１８は、実施例９に係るズームレンズの収差図である。図１８において、（Ａ）および（Ｂ）は、それぞれ広角端での収差図および望遠端での収差図である。
【００３３】
第１レンズ群Ｌ１、開口絞りＳＰ、および第５レンズ群Ｌ５は、いずれも変倍のためには不動である。広角端から望遠端への変倍のために、第２レンズ群Ｌ２は、像側へ移動し、第３レンズ群Ｌ３および第４レンズ群Ｌ４は、いずれも収差を補正し且つ像面の移動を補償するように移動する。
【００３４】
＜実施例１０＞
図１９は、実施例１０に係るズームレンズの広角端での断面図である。図２０は、実施例１０に係るズームレンズの収差図である。図２０において、（Ａ）および（Ｂ）は、それぞれ広角端での収差図および望遠端での収差図である。
【００３５】
第１レンズ群Ｌ１、開口絞りＳＰ、および第４レンズ群Ｌ４は、変倍のためには不動である。広角端から望遠端への変倍のために、第２レンズ群Ｌ２は、像側へ移動し、第３レンズ群Ｌ３は、像側に凸の軌跡で移動する。
【００３６】
＜実施例１１＞
図２１は、実施例１１に係るズームレンズの広角端での断面図である。図２２は、実施例１１に係るズームレンズの収差図である。図２２において、（Ａ）および（Ｂ）は、それぞれ広角端での収差図および望遠端での収差図である。
【００３７】
第１レンズ群Ｌ１は、変倍のためには不動である。広角端から望遠端への変倍のために、第２レンズ群Ｌ２は、像側へ移動し、第３レンズ群Ｌ３および第４レンズ群Ｌ４は、いずれも収差を補正し且つ像面の移動を補償するように移動し、開口絞りＳＰは、第３レンズ群Ｌ３とともに移動する。
【００３８】
以上の実施例１ないし実施例１１のズームレンズは、いずれも、第１レンズ群Ｌ１は、変倍のためには不動である。なお、各断面図において、左方は、物体側（前側）であり、右方は、像側（後側）である。ｉを物体側からのレンズ群の順番として、Ｌｉは、第ｉレンズ群を示す。ＳＰは、開口絞りを示す。Ｇは、プリズム、光学フィルターおよびその他のうちの少なくとも１つを含む光学ブロックを示す。ＩＰは、像面を示す。なお、各断面図は、ズームレンズの断面に加えて、撮像部（カメラ本体）の一部である光学ブロックＧおよび像面ＩＰの断面も図示している。また、像面ＩＰには、ＣＣＤまたはＣＭＯＳデバイスを含む撮像素子（光電変換素子）が配置されうる。本実施形態のズームレンズは、ビデオカメラやデジタルスチルカメラ、テレビカメラ、シネマカメラ、監視カメラ等の撮像装置の光学系として用いられうる。
【００３９】
実施例１ないし実施例１１の各収差図の球面収差、倍率色収差、および歪曲において、実線はｅ線での値、二点鎖線はｇ線での値、一点鎖線はＣ線での値を示す。また、各収差図の非点収差においては、破線および実線は、それぞれメリディオナル像面での値およびサジタル像面での値を示す。Ｆｎｏは、Ｆナンバーを示し、ωは、半画角を示す。球面収差は、０．４ｍｍのスケールで、非点収差は、０．４ｍｍのスケールで、歪曲は、５％のスケールで、倍率色収差は、０．０５ｍｍのスケールで、それぞれ表されている。
【００４０】
各実施例のズームレンズは、正の屈折力を有する第１レンズ群と、変倍のために移動する負の屈折力を有する第２レンズ群とを含む、いわゆるポジティブリード型のズームレンズである。第１レンズ群は、物体側から像側へ順に、合焦のためには不動で且つ負の屈折力を有する第１１レンズ群と、合焦のために光軸上を移動し且つ正の屈折力を有する第１２レンズ群と、合焦のためには不動で且つ正の屈折力を有する第１３レンズ群とからなりうる。当該第１レンズ群は、そのような複数のサブユニットからなる構成の場合、合焦（フォーカシング）のためには、第１レンズ群のうちの第１２レンズ群Ｌ１ｂが光軸上を移動する。無限遠から有限距離への合焦を行う場合、第１２レンズ群Ｌ１ｂが光軸上を像側へ移動するものとしうる。そのような構成により、ブリージングの抑制と合焦による収差変動の抑制との点で有利なズームレンズとしうる。
【００４１】
また、当該第１レンズ群は、物体側から像側へ順に、負の屈折力を有する第１１レンズ群と、正の屈折力を有する第１２レンズ群とからなるサブユニット構成としうる。合焦のためには、第１２群が光軸上を移動する。そのような構成により、小型軽量の点で有利な第１レンズ群（ズームレンズ）としうる。第１２レンズ群は、さらに第１２１レンズ群と第１２２レンズ群とから構成され、それらの群が互いに異なった軌跡で光軸上を移動するようにしてもよい。そのような構成により、合焦による収差変動の抑制に有利なズームレンズとしうる。
【００４２】
第１レンズ群を変倍のためには不動とすることにより、重量の大なる第１レンズ群全体を移動することがなく、駆動機構の簡素化または小型化が可能となる。また、変倍を行ってもレンズ全長を一定にできる。また、広角端から望遠端への変倍のために負の屈折力を有する第２レンズ群を像側へ移動する変倍方式を採用しているため、高変倍比を達成するのに有利である。
【００４３】
ここで、本実施形態に係るズームレンズの特徴としての各条件式を説明する。本実施形態に係るズームレンズは、広角、高変倍比、および全変倍範囲にわたる高い光学性能（特に軸上色収差）の点で有利なものである。そのようなズームレンズは、レンズ群ＶＰに含まれている正レンズＧｐの材料の部分分散比およびアッベ数を特定して得られる。ここで、正レンズＧｐに採用する材料の部分分散比と軸上色収差との関係について説明する。図２３に示すように、現存する光学材料は、部分分散比θｇＦは、アッベ数νｄに対して狭い範囲に分布しており、アッベ数νｄが小さいほどθｇＦが大きくなる傾向を有している。特定の２波長に対する色収差の補正は、２波長色消し（１次スペクトル補正）とも称される。そして、高変倍比を有するズームレンズは、変倍に伴う色収差の変動を抑制するために、各レンズ群の軸上色収差および倍率色収差が概ねゼロとなるように補正される。さらに特定の１波長を加えてなる特定の３波長に対する色収差の補正は、２次スペクトル補正とも称される。変倍比を高くするほど、ズームレンズの高仕様化の要求に応えて、全変倍範囲で軸上色収差の２次スペクトルを低減することが難しくなる。
【００４４】
当該２次スペクトルを低減するための本実施形態に係るズームレンズの構成は、冒頭で既述したとおりである。特に、正レンズＧｐのアッベ数および部分分散比をそれぞれνｄおよびθｇＦとして、以下の条件式を満足するものとしている。当該条件式は、
θｇＦ−（−１．６６５０×１０−７・νｄ３＋５．２１３０×１０−５・νｄ２−５．６５６０×１０−３・νｄ＋０．７３７０）＞０       ・・・（１）
０．５４５０＜θｇＦ                               ・・・（２）
５０．０＜νｄ＜８５．０                           ・・・（３）
である。
【００４５】
条件式（１）および（２）は、正レンズＧｐの材料の部分分散比θｇＦを規定している。条件式（１）および（２）式を満たすことにより、全変倍範囲わたる軸上色収差の補正、低減または調整が可能となる。条件式（１）および条件式（２）の値が下限値以下になると、全変倍範囲、特に望遠端、において軸上色収差の二次スペクトルが低減できないため、好ましくない。条件式（３）は、正レンズＧｐの材料のアッベ数νｄを規定している。条件式（３）の値が上限値以上となると、正レンズＧｐの分散が低くなるため、プラス方向の軸上色収差が残存し、その補正が困難となる。また、正レンズＧｐの分散が低くなるため、その屈折率が低くなる。そうなると、正レンズＧｐにおける曲率半径が小さくなるため、高次の収差の補正が困難となる。また、条件式（３）の値が下限値以下となると、正レンズＧｐの分散が大きくなるため、マイナス方向の軸上色収差が残存し、その補正が困難となる。なお、より好ましくは、条件式（１）ないし（３）の数値範囲を次のように設定するのがよい。
θｇＦ−（−１．６６５０×１０−７・νｄ３＋５．２１３０×１０−５・νｄ２−５．６５６０×１０−３・νｄ＋０．７３９８）＞０       ・・・（１ａ）
０．５４９０＜θｇＦ                               ・・・（２ａ）
５２．０＜νｄ＜８１．０                           ・・・（３ａ）
【００４６】
また、さらに好ましくは、条件式（２ａ）および（３ａ）の数値範囲を次のように設定するのがよい。
０．５５４３＜θｇＦ                          ・・・（２ｂ）
５４．０＜νｄ＜６７．０                      ・・・（３ｂ）
【００４７】
各実施例において以上のような構成とすることにより、広画角、高変倍比、および全変倍範囲にわたる高い光学性能（特に軸上色収差の低減）の点で有利なズームレンズを提供することができる。
【００４８】
本実施形態に係るズームレンズの構成における更なる様態として、次の条件式のうち少なくとも１つを満足するのが好ましい。
２．５＜ｆｐ／ｆｗ＜４０                                           ・・・（４）
−２．３×１０−３＜（θｐ−θｎ）／（νｐ−νｎ）＜１．３×１０−３ ・・・（５）
１．５５０＜ｎｄ＜１．７５０                                       ・・・（６）
｜βｖｐｔ／βｖｐｗ｜＜２５０                                     ・・・（７）
【００４９】
ここで、正レンズＧｐの焦点距離をｆｐとし、ズームレンズの広角端での焦点距離をｆｗとする。また、正レンズＧｐのアッベ数および部分分散比をそれぞれνｐおよびθｐとし、正レンズＧｐに広角端で最も近い負レンズのアッベ数および部分分散比をそれぞれνｎおよびθｎとする。また、正レンズＧｐのｄ線に対する屈折率をｎｄとする。レンズ群ＶＰの広角端での横倍率および望遠端での横倍率をそれぞれβｖｐｗおよびβｖｐｔとする。
【００５０】
条件式（４）は、ズームレンズの広角端での焦点距離と正レンズＧｐの焦点距離との比を規定している。条件式（４）の値が上限値以上となると、正レンズＧｐの屈折力が過小となり、プラス方向の軸上色収差が残存し、その補正が困難となる。また、条件式（４）の値が下限値以下となると、正レンズＧｐの屈折力が過大となり、レンズ群ＶＰにおける正レンズの分散が大きくなるため、マイナス方向の軸上色収差が残存し、その補正が困難となる。
【００５１】
条件式（５）は、レンズの材料の分散特性により、軸上色収差の二次スペクトルを補正するための条件を規定している。現存する光学材料は、アッベ数νｄに対して部分分散比θｇＦが狭い範囲に分布し、また、νｄが小さいほどθｇＦが大きくなる傾向を有している。よって、条件式（５）の値が上限値以上となると、正レンズＧｐの分散と上記負レンズの分散とが互い近づくこととなる。そうなると、正レンズおよび負レンズのうち少なくとも一方の屈折力が過大となり、諸収差の補正が困難となる。条件式（５）の値が下限値以下となると、レンズ群ＶＰの二次スペクトルが過大となってしまい、軸上色収差の補正が困難となる。
【００５２】
条件式（６）は、正レンズＧｐの材料の屈折率を規定している。条件式（６）の値が上限値以上となると、全系の小型化に有利となるが、条件式（１）および（２）を満たす材料の選択（製造）が困難となる。条件式（６）の値が下限値以下となると、屈折率が過小となることにより、正レンズＧｐの曲率半径が小さくなり、高次収差の補正が困難となる。
【００５３】
条件式（７）式は、レンズ群ＶＰの広角端での横倍率と望遠端での横倍率との比、すなわち、レンズ群ＶＰの変倍比を規定している。条件式（７）式の値が上限値以上となると、レンズ群ＶＰにおける二次スペクトルの望遠端での拡大率が過大となり、軸上色収差の二次スペクトルの補正は、不足または過剰となる。
【００５４】
なお、より好ましくは、条件式（４）ないし（７）の数値範囲を次のように設定するのがよい。
３＜ｆｐ／ｆｗ＜３５                                              ・・・（４ａ）
−２．０×１０−３＜（θｐ−θｎ）／（νｐ−νｎ）＜０．３×１０−３・・・（５ａ）
１．５５０＜ｎｄ＜１．７００                                      ・・・（６ａ）
｜βｖｐｔ／βｖｐｗ｜＜２２０                                    ・・・（７ａ）
【００５５】
また、さらに好ましくは、条件式（６ａ）の数値範囲を次のように設定するのがよい。
１．５５０＜ｎｄ＜１．６５０                                  ・・・（６ｂ）
【００５６】
なお、さらに、条件式（８）を満足するのが好ましい。
θｇＦ＜０．６０００                                            ・・・（８）
【００５７】
条件式（８）は、正レンズＧｐの部分分散比の上限値を規定している。条件式（８）の値が上限値以上となると、条件式を満足する材料を選択（製造）することが困難となる。また、軸上色収差の２次スペクトルの過補正を回避することも困難となる。また、さらに好ましくは、条件式（８）の数値範囲を次のように設定するのがよい。
θｇＦ＜０．５９５０                                          ・・・（８ａ）
【００５８】
以上の条件式のうち少なくとも条件式（１）ないし（３）を満足するように構成することにより、広画角、高変倍比、および全変倍範囲にわたる高い光学性能（特に、軸上色収差の補正）の点で有利なズームレンズを得ることができる。
【００５９】
なお、変倍のために移動する上記の少なくとも１つのレンズ群は、変倍のために移動する１つないし３つのレンズ群のうちのいずれかから構成されているものとしうる。ここで、上記の第２レンズ群も変倍のために移動するものとしうる。また、上記の第１レンズ群は、合焦のために移動するレンズ群を含みうる。また、変倍のために移動する上記の少なくとも１つのレンズ群は、合焦のために移動するレンズ群を含みうる。
【００６０】
ここで、実施例１ないし５に係るズームレンズは、物体側から像側へ順に配置された次の５つのレンズ群から構成されている。すなわち、正の屈折力の第１レンズ群Ｌ１と、負の屈折力の第２レンズ群Ｌ２と、正の屈折力の第３レンズ群Ｌ３と、正の屈折力の第４レンズ群Ｌ４と、開口絞りＳＰと、第５レンズ群Ｌ５とから構成されている。第１レンズ群Ｌ１および第５レンズ群Ｌ５は、変倍のためには不動である。広角端から望遠端への変倍のために、第２レンズ群は、像側へ移動し、第３レンズ群および第４レンズ群は、いずれも物体側へ移動する。また、広角端から望遠端への変倍のために、開口絞りＳＰは、第４レンズ群とともに移動動してもよい。また、第１レンズ群Ｌ１は、物体側から像側へ順に、次の３つのサブレンズ群から構成されている。すなわち、合焦のためには不動の負の屈折力の第１１レンズ群Ｌ１ａと、合焦のために光軸上を移動する正の屈折力の第１２レンズ群Ｌ１ｂおよび正の屈折力の第１３レンズ群Ｌ１ｃとから構成されている。無限遠から有限距離への合焦のために、第１２レンズ群Ｌ１ｂおよび第１３レンズ群Ｌ１ｃを互いに異なる軌跡で光軸に沿って移動するフローティングインナーフォーカス方式を採用している。
【００６１】
実施例６に係るズームレンズは、物体側から像側へ順に配置された次の５つのレンズ群から構成されている。すなわち、正の屈折力の第１レンズ群Ｌ１と、負の屈折力の第２レンズ群Ｌ２と、負の屈折力の第３レンズ群Ｌ３と、正の屈折力の第４レンズ群Ｌ４と、開口絞りＳＰと、正の屈折力の第５レンズ群Ｌ５とから構成されている。第１レンズ群Ｌ１および第５レンズ群Ｌ５は、変倍のためには不動である。広角端から望遠端への変倍のために、第２レンズ群は、像側へ移動し、第３レンズ群および第４レンズ群は、いずれも物体側へ凸の軌跡で移動する。また、第１レンズ群Ｌ１は、物体側から像側へ順に、合焦のためには不動の負の屈折力の第１１レンズ群Ｌ１ａと、合焦のために光軸上を移動する正の屈折力の第１２レンズ群Ｌ１ｂとから構成されている。無限遠から有限距離への合焦のために、第１２レンズ群Ｌ１ｂを光軸に沿って移動するインナーフォーカス方式を採用している。
【００６２】
実施例７に係るズームレンズは、物体側から像側へ順に配置された５つのレンズ群から構成されている。すなわち、正の屈折力の第１レンズ群Ｌ１と、負の屈折力の第２レンズ群Ｌ２と、負の屈折力の第３レンズ群Ｌ３と、開口絞りＳＰと、正の屈折力の第４レンズ群Ｌ４と、正の屈折力の第５レンズ群Ｌ５とから構成されている。第１レンズ群Ｌ１および第５レンズ群Ｌ５は、変倍のためには不動である。広角端から望遠端への変倍のために、第２レンズ群は、像側へ移動し、第３レンズ群、開口絞りＳＰおよび第４レンズ群は、いずれも物体側へ凸の軌跡で移動する。また、第１レンズ群Ｌ１は、物体側から像側へ順に、合焦のためには不動の負の屈折力の第１１レンズ群Ｌ１ａと、合焦のために光軸上を移動する正の屈折力の第１２レンズ群Ｌ１ｂとから構成されている。無限遠から有限距離への合焦のために、第１２レンズ群Ｌ１ｂを光軸に沿って移動するインナーフォーカス方式を採用している。
【００６３】
実施例８に係るズームレンズは、物体側から像側へ順に配置された６つのレンズ群から構成されている。すなわち、正の屈折力の第１レンズ群Ｌ１と、負の屈折力の第２レンズ群Ｌ２と、正の屈折力の第３レンズ群Ｌ３と、負の屈折力の第４レンズ群Ｌ４と、正の屈折力の第５レンズ群Ｌ５と、開口絞りＳＰと、正の屈折力の第６レンズ群Ｌ６とから構成されている。第１レンズ群Ｌ１および第６レンズ群Ｌ６は、変倍のためには不動である。広角端から望遠端への変倍のために、第２レンズ群、第３レンズ群および第４レンズ群は、いずれも像側へ移動し、第５レンズ群は、像面の移動を補償（いわゆるコンペンセート）するように移動する。また、第１レンズ群Ｌ１は、物体側から像側へ順に、次の３つのサブレンズ群から構成されている。すなわち、合焦のためには不動の負の屈折力の第１１レンズ群Ｌ１ａと、合焦のために光軸上を移動する正の屈折力の第１２レンズ群Ｌ１ｂと、合焦のためには不動の正の屈折力の第１３レンズ群Ｌ１ｃとから構成されている。無限遠から有限距離への合焦のために、第１２レンズ群Ｌ１ｂを光軸に沿って移動するインナーフォーカス方式を採用している。
【００６４】
実施例９に係るズームレンズは、物体側から像側へ順に配置された５つのレンズ群から構成されている。すなわち、正の屈折力の第１レンズ群Ｌ１と、負の屈折力の第２レンズ群Ｌ２と、開口絞りＳＰと、正の屈折力の第３レンズ群Ｌ３と、正の屈折力の第４レンズ群Ｌ４と、負の屈折力の第５レンズ群Ｌ５とから構成されている。第１レンズ群Ｌ１および第５レンズ群Ｌ５は、変倍のためには不動である。広角端から望遠端への変倍のために、第２レンズ群は、像側へ移動し、第３レンズ群Ｌ３および第４レンズ群Ｌ４は、いずれも収差を補正し且つ像面の移動を補償するように移動する。また、第１レンズ群Ｌ１は、物体側から像側へ順に、次の３つのサブレンズ群から構成されている。すなわち、合焦のためには不動の負の屈折力の第１１レンズ群Ｌ１ａと、合焦のために光軸上を移動する正の屈折力の第１２レンズ群Ｌ１ｂと、合焦のためには不動の正の屈折力の第１３レンズ群Ｌ１ｃとから構成されている。無限遠から有限距離への合焦のために、第１２レンズ群Ｌ１ｂを光軸に沿って移動するインナーフォーカス方式を採用している。
【００６５】
実施例１０に係るズームレンズは、物体側から像側へ順に配置された４つのレンズ群から構成されている。すなわち、正の屈折力の第１レンズ群Ｌ１と、負の屈折力の第２レンズ群Ｌ２と、正の屈折力の第３レンズ群Ｌ３と、開口絞りＳＰと、正の屈折力の第４レンズ群Ｌ４とから構成されている。第１レンズ群Ｌ１および第４レンズ群Ｌ４は、変倍のためには不動である。広角端から望遠端への変倍のために、第２レンズ群は、像側へ移動し、第３レンズ群は、像側へ凸の軌跡で移動する。また、第１レンズ群Ｌ１は、物体側から像側へ順に、次の３つのサブレンズ群から構成されている。すなわち、合焦のためには不動の負の屈折力の第１１レンズ群Ｌ１ａと、合焦のために光軸上を移動する正の屈折力の第１２レンズ群Ｌ１ｂと、合焦のためには不動の正の屈折力の第１３レンズ群Ｌ１ｃとから構成されている。無限遠から有限距離への合焦のために、第１２レンズ群Ｌ１ｂを光軸に沿って移動するインナーフォーカス方式を採用している。
【００６６】
実施例１１に係るズームレンズは、物体側から像側へ順に配置された４つのレンズ群から構成されている。すなわち、正の屈折力の第１レンズ群Ｌ１と、負の屈折力の第２レンズ群Ｌ２と、開口絞りＳＰと、正の屈折力の第３レンズ群Ｌ３と、正の屈折力の第４レンズ群Ｌ４とから構成されている。第１レンズ群Ｌ１は、変倍のためには不動である。広角端から望遠端への変倍のために、第２レンズ群は、像側へ移動し、第３レンズ群および第４レンズ群は、いずれも物体側に凸の軌跡で移動する。また、無限遠から有限距離への合焦のために、第４レンズ群Ｌ４を光軸に沿って移動するリアフォーカス方式を採用している。変倍のための第４レンズ群Ｌ４の移動軌跡を物体側に凸状とすることにより、第３レンズ群Ｌ３と第４レンズ群Ｌ４とを配置する空間の有効利用を図り、レンズ全長の短縮を効果的に達成している。
【００６７】
〔撮像装置に係る実施形態〕
ここで、図２４を参照して、以上に説明したズームレンズを含む撮像装置（例えばＴＶカメラ）に係る実施形態を説明する。図２４は、実施形態に係る撮像装置の構成例を示す図である。図２４において、１０１は実施例１ないし１１のうちいずれかのズームレンズである。１２４は、カメラ本体（撮像部）である。ズームレンズ１０１は、カメラ本体１２４に対して着脱（交換）可能となっている。１２５は、カメラ１２４本体にズームレンズ１０１を装着して構成される撮像装置である。ズームレンズ１０１は、第１レンズ部Ｆと、第２レンズ部ＬＺと、および第３レンズ部Ｒとを有している。第１レンズ群Ｆは、合焦のために移動するレンズ群を含んでいる。第２レンズ部ＬＺは、変倍のために移動する少なくとも２つのレンズ群を含んでいる。第２レンズ部ＬＺより像側には、開口絞りＳＰと、第３レンズ部Ｒとが配置されている。第３レンズ部は、結像のためのレンズ群を含み、３つのレンズ群Ｒ１ないしＲ３を含みうる。また、光路に対して挿抜可能なレンズ群ＩＥを含みうる。レンズ群ＩＥは、レンズ群Ｒ１とレンズ群Ｒ３との間に挿入されることにより、ズームレンズ１０１の焦点距離範囲を変更する。
【００６８】
１１４および１１５は、それぞれ第１レンズ部Ｆおよび第２レンズ群ＬＺを光軸方向に移動する駆動機構である。当該駆動機構は、ヘリコイドまたはカムを含んで構成されうる。１１６ないし１１８は、それぞれ駆動機構１１４および１１５ならびに開口絞りＳＰを動かすための動力を発生するモータ（アクチュエータ）である。１１９ないし１２１は、第１レンズ部Ｆおよび第２レンズ部ＬＺの光軸上の位置ならびに開口絞りＳＰの絞り径を検出するための検出部である。当該検出部は、エンコーダ、ポテンショメータ、またはフォトセンサ等を含みうる。カメラ本体１２４において、１０９は、光学フィルターおよび色分解光学系の少なくとも一方を含むガラスブロックである。１１０は、ズームレンズ１０１の像面に配置された撮像素子（光電変換素子）であって、ＣＣＤまたはＣＭＯＳデバイスを含みうる。また、１１１は、カメラ本体１２４の各部を制御する制御部である。１２２は、ズームレンズ１０１の各部を制御する制御部である。各制御部は、ＣＰＵ等の処理部により構成されうる。本実施形態により、広画角、高変倍比、および全変倍範囲にわたる高い光学性能の点で有利な撮像装置を得ることができる。
【００６９】
〔数値実施例〕
ここで、実施例１ないし１１にそれぞれ対応する数値実施例１ないし１１を示す。各数値実施例において、ｉは、物体側からの各面に付した番号（序数）を示す。ｒｉは、第ｉ番のレンズ面の曲率半径を示し、ｄｉは、第ｉ番の面間隔（レンズ厚または空気間隔）を示し、ｎｄｉ、νｄｉおよびθｇＦは、それぞれ第ｉ番目のレンズの材料（空気を含む）の屈折率、アッベ数および部分分散比を示す。また、各面の有効径と、各レンズの焦点距離とを示している。非球面データにおける非球面形状は、次式で表される。ここで、光軸をＸ軸とし、光軸とは直交する軸をＨ軸とし、光の進行方向をＸ軸の正の方向とする。また、Ｒを近軸曲率半径とし、Ｋを円錐定数とし、Ａ３、Ａ４、Ａ５、Ａ６、Ａ７、Ａ８、Ａ９、Ａ１０、Ａ１１、Ａ１２、Ａ１３、Ａ１４、Ａ１５およびＡ１６のそれぞれを非球面係数とする。
【００７０】
【数１】
2020012870.tif 000003
【００７１】
各非球面係数において、［ｅ−Ｘ］は、［×１０−Ｘ］を意味している。
【００７２】
また、各種データとして、以下のものを示す。ななわち、ズーム比（変倍比）や焦点距離、Ｆナンバー、画角（度）、像高を示している。ここで、画角は、最大像高に対応する値を、像高は、最大像高を、それぞれ示している。ＢＦは、バックフォーカスであり、ここでは、最終レンズ面から像面までの空気換算での距離を示している。レンズ全長は、第１レンズ面から最終レンズ面までの距離にバックフォーカスを加えた値を示している。また、面データにおける間隔ｄのうち（可変）となっているものは、間隔ｄが変倍のために変化することを示し、焦点距離に応じた値を別表に示している。また、入射瞳位置、射出瞳位置、前側主点位置および後側主点位置は、焦点距離に応じた値を別表に示している。また、レンズ群データは、各レンズ群の始面、焦点距離、レンズ構成長、前側主演位置および後側主点位置を示している。また、単レンズデータは、各レンズの始面および焦点距離を示している。尚、以下に記載する数値実施例１ないし１１のそれぞれについての各条件式の値を表１に示している。
【００７３】
（数値実施例１）
単位 mm
面データ
面番号      r         d        nd        vd       θgF     有効径   焦点距離
1     1997.02113   6.00000  1.788001   47.37    0.5559    201.035   -452.598
2      303.49132   1.94485  1.000000    0.00    0.0000    193.798      0.000
3      317.22604  19.16858  1.433870   95.10    0.5373    193.676    698.448
4    -7044.93390   0.20000  1.000000    0.00    0.0000    192.791      0.000
5      673.24372   6.00000  1.834000   37.16    0.5776    192.041  -1014.711
6      374.48011   0.79177  1.000000    0.00    0.0000    191.535      0.000
7      345.92209  19.79827  1.433870   95.10    0.5373    192.281    687.598
8    -2170.21310  28.23869  1.000000    0.00    0.0000    192.595      0.000
9      339.68529  21.07732  1.433870   95.10    0.5373    195.861    648.526
10    -1632.16760   0.25000  1.000000    0.00    0.0000    195.373      0.000
11      246.79128  21.92714  1.433870   95.10    0.5373    190.002    593.790
12     5400.98293   1.20000  1.000000    0.00    0.0000    188.450      0.000
13      187.53643  11.51644  1.496999   81.54    0.5375    175.329    938.175
14      306.70190    (可変)  1.000000    0.00    0.0000    173.620      0.000
15      624.89952   2.35000  1.882997   40.76    0.5667     52.205    -55.597
16       45.68117   9.32196  1.000000    0.00    0.0000     45.363      0.000
17     -137.26212   1.45000  1.772499   49.60    0.5520     44.267    -36.253
18       35.55945  12.34646  1.784696   26.29    0.6135     41.881     34.433
19      -98.90180   3.33582  1.000000    0.00    0.0000     41.900      0.000
20      -45.38838   2.00000  1.696797   55.53    0.5434     41.825    -63.907
21     3097.76570    (可変)  1.000000    0.00    0.0000     44.182      0.000
22      357.11874  10.28676  1.603112   60.64    0.5415     76.263    149.284
23     -119.70501   0.95251  1.000000    0.00    0.0000     77.234      0.000
24      337.34836  10.04889  1.481157   80.19    0.5451     78.711    223.375
25     -156.87107  10.00012  1.000000    0.00    0.0000     78.782      0.000
26     -201.72048   2.50000  1.717362   29.52    0.6047     76.322   -105.215
27      122.78711   7.42206  1.496999   81.54    0.5375     76.793    286.099
28      865.68156    (可変)  1.000000    0.00    0.0000     77.100      0.000
29      330.93087  14.10652  1.640000   66.08    0.5581     80.594    120.439
30     -101.28656    (可変)  1.000000    0.00    0.0000     80.788      0.000
31        0.00000   4.90749  1.000000    0.00    0.0000     33.150      0.000
32      -72.13544   1.80000  1.816000   46.62    0.5568     31.530    -39.850
33       60.43089   5.13557  1.808095   22.76    0.6307     31.176     59.455
34     -237.28216   7.55722  1.000000    0.00    0.0000     31.015      0.000
35      -28.78125   1.49977  1.816000   46.62    0.5568     30.172    -24.953
36       72.49578  10.08032  1.548141   45.79    0.5686     33.418     38.544
37      -28.55262  16.01812  1.000000    0.00    0.0000     34.753      0.000
38      194.31854   9.07524  1.531717   48.84    0.5631     37.953     68.490
39      -44.35136   1.49161  1.000000    0.00    0.0000     38.040      0.000
40     -104.49421   1.50000  1.882997   40.76    0.5667     35.841    -38.029
41       50.24421   8.69548  1.518229   58.90    0.5457     35.234     45.865
42      -42.76309   0.49453  1.000000    0.00    0.0000     35.335      0.000
43      151.55145   6.51018  1.496999   81.54    0.5375     33.206     59.851
44      -36.61436   1.50000  1.882997   40.76    0.5667     32.596    -44.960
45     -449.26887   1.00055  1.000000    0.00    0.0000     32.329      0.000
46       79.39231   5.73260  1.522494   59.84    0.5440     31.850     83.983
47      -96.52280  10.00000  1.000000    0.00    0.0000     31.141      0.000
48        0.00000  33.00000  1.608590   46.44    0.5664     40.000      0.000
49        0.00000  13.20000  1.516330   64.14    0.5353     40.000      0.000
50        0.00000   0.00000  1.000000    0.00    0.0000     50.000      0.000
非球面データ
第15面
K =-1.02581e+003  A 4= 1.39375e-006  A 6=-6.46180e-010  A 8= 3.74511e-013
第22面
K =-7.86746e+000  A 4=-4.27570e-007  A 6= 8.45869e-012  A 8=-4.81638e-015
各種データ
ズーム比     79.99
焦点距離      10.00   799.93
Fナンバー      1.80     4.20
画角          28.81     0.39
像高           5.50     5.50
レンズ全長   696.44   696.44
BF            13.95    13.95
d14            2.84   178.05
d21          296.12     2.74
d28            6.21    16.65
d30           13.88   121.62
d50           13.95    13.95
入射瞳位置   155.37   10719.90
射出瞳位置   13834.14   13834.14
前側主点位置 165.38   11566.13
後側主点位置   3.95  -785.98
レンズ群データ
群  始面    焦点距離  レンズ構成長  前側主点位置  後側主点位置
1    1     246.00       138.11        81.41        -19.51
2   15     -28.50        30.80         7.83        -12.45
3   22     163.83        41.21        -9.60        -37.00
4   29     120.44        14.11         6.62         -2.03
5   31      60.49       139.20        60.76          7.70
単レンズデータ
レンズ  始面  焦点距離
1       1   -452.60
2       3    698.45
3       5   -1014.71
4       7    687.60
5       9    648.53
6      11    593.79
7      13    938.17
8      15    -55.60
9      17    -36.25
10      18     34.43
11      20    -63.91
12      22    149.28
13      24    223.37
14      26   -105.22
15      27    286.10
16      29    120.44
17      32    -39.85
18      33     59.45
19      35    -24.95
20      36     38.54
21      38     68.49
22      40    -38.03
23      41     45.87
24      43     59.85
25      44    -44.96
26      46     83.98
27      48      0.00
28      49      0.00
【００７４】
（数値実施例２）
単位 mm
面データ
面番号      r         d        nd        vd       θgF     有効径   焦点距離
1    -2943.92741   6.00000  1.834810   42.74    0.5648    212.003   -358.349
2      335.36446   1.80000  1.000000    0.00    0.0000    200.625      0.000
3      334.84756  23.88108  1.433870   95.10    0.5373    200.212    587.213
4    -1053.41335   0.20000  1.000000    0.00    0.0000    198.854      0.000
5      527.51890  14.68617  1.433870   95.10    0.5373    198.496    995.828
6    -2400.71196  24.65858  1.000000    0.00    0.0000    198.610      0.000
7      374.31924  20.58593  1.433870   95.10    0.5373    199.201    679.677
8    -1382.89885   0.25000  1.000000    0.00    0.0000    198.652      0.000
9      306.09595  16.01695  1.433870   95.10    0.5373    193.025    865.784
10     1609.43165   1.49936  1.000000    0.00    0.0000    191.718      0.000
11      189.62970  16.25672  1.438750   94.66    0.5340    180.368    773.280
12      417.33455    (可変)  1.000000    0.00    0.0000    178.255      0.000
13     -548.82314   2.20000  2.003300   28.27    0.5980     45.629    -35.500
14       38.50740  11.66335  1.000000    0.00    0.0000     39.163      0.000
15      -44.88699   1.45000  1.743198   49.34    0.5531     38.078    -37.269
16       74.26352   9.61434  1.892860   20.36    0.6393     39.131     32.917
17      -46.52934   1.55129  1.000000    0.00    0.0000     39.623      0.000
18      -41.95413   2.00000  1.882997   40.76    0.5667     39.553    -65.956
19     -151.14615    (可変)  1.000000    0.00    0.0000     42.032      0.000
20      160.23431  10.87133  1.729157   54.68    0.5444     82.084    140.906
21     -281.54789   3.39620  1.000000    0.00    0.0000     82.389      0.000
22      122.14913  13.40053  1.438750   94.66    0.5340     82.843    193.824
23     -272.79939   2.03096  1.000000    0.00    0.0000     82.253      0.000
24      294.97217   2.60000  1.854780   24.80    0.6122     78.930   -171.361
25       98.09141    (可変)  1.000000    0.00    0.0000     76.227      0.000
26      104.55480  12.11800  1.650000   54.96    0.5784     76.537    123.797
27     -339.61522   0.50000  1.000000    0.00    0.0000     75.791      0.000
28      447.16156   2.50000  1.805181   25.42    0.6161     73.203   -178.880
29      109.42785   9.30719  1.603112   60.64    0.5415     70.386    155.509
30     -653.12106    (可変)  1.000000    0.00    0.0000     69.245      0.000
31        0.00000   5.33563  1.000000    0.00    0.0000     34.467      0.000
32     -111.84321   1.40000  1.882997   40.76    0.5667     31.812    -40.446
33       53.23013   0.80891  1.000000    0.00    0.0000     30.946      0.000
34       41.73181   3.99098  1.922860   18.90    0.6495     31.260     74.139
35      100.13053   4.24956  1.000000    0.00    0.0000     30.656      0.000
36      -75.63901   1.70000  1.804000   46.53    0.5577     30.259   -220.444
37     -132.77403   7.91360  1.000000    0.00    0.0000     30.360      0.000
38      158.33890   1.50000  1.804000   46.53    0.5577     29.327    -50.913
39       32.51947   4.23687  1.846660   23.87    0.6205     28.730     56.455
40       93.67956   5.13179  1.000000    0.00    0.0000     28.406      0.000
41      -40.84670   1.50000  1.891900   37.13    0.5780     28.341    -33.448
42      115.26288   8.00594  1.516330   64.14    0.5353     29.957     46.285
43      -29.57323  12.70722  1.000000    0.00    0.0000     31.194      0.000
44       84.81489   5.72719  1.517417   52.43    0.5564     33.342     77.606
45      -75.14139   1.39999  1.000000    0.00    0.0000     33.204      0.000
46     -158.77114   1.50000  1.882997   40.76    0.5667     32.375    -33.754
47       37.12108   7.71625  1.487490   70.23    0.5300     31.899     54.242
48      -86.66370   0.20000  1.000000    0.00    0.0000     32.303      0.000
49      107.30151   7.66756  1.517417   52.43    0.5564     32.441     52.175
50      -35.40332   1.50000  1.882997   40.76    0.5667     32.253    -58.604
51     -112.90797   0.20000  1.000000    0.00    0.0000     32.835      0.000
52       90.01423   7.65946  1.539956   59.46    0.5441     32.840     62.601
53      -52.84648  10.00000  1.000000    0.00    0.0000     32.375      0.000
54        0.00000  33.00000  1.608590   46.44    0.5664     60.000      0.000
55        0.00000  13.20000  1.516330   64.15    0.5352     60.000      0.000
56        0.00000   0.00000  1.000000    0.00    0.0000     60.000      0.000
非球面データ
第13面
K =-2.00000e+000  A 4= 1.11738e-006  A 6=-2.73941e-008  A 8=-3.06666e-010  A10= 9.11622e-013
A12= 3.28016e-015  A14= 1.34852e-018  A16= 5.55098e-022
A 3= 2.85616e-007  A 5= 9.86896e-008  A 7= 4.01797e-009  A 9= 6.09812e-012  A11=-8.52223e-014
A13=-6.83558e-017  A15=-3.84816e-020
第21面
K = 1.31117e+001  A 4= 2.54711e-007  A 6=-5.57750e-011  A 8=-1.93472e-014  A10= 1.00121e-016
A12=-6.34417e-020  A14= 1.74838e-023  A16=-4.71286e-027
A 3=-5.09543e-008  A 5= 1.56716e-009  A 7= 1.11467e-012  A 9=-1.59038e-015  A11= 3.86292e-020
A13= 1.10503e-022  A15= 1.34799e-025
第30面
K =-8.70941e+001  A 4= 2.56892e-007  A 6= 4.75704e-010  A 8= 1.40421e-013  A10=-2.99539e-016
A12= 4.60440e-019  A14=-2.25168e-022  A16= 5.75006e-026
A 3= 1.65175e-007  A 5=-6.65529e-009  A 7=-1.35754e-011  A 9= 7.72682e-015  A11=-8.26696e-018
A13= 2.20066e-021  A15=-8.84420e-025
各種データ
ズーム比    120.00
焦点距離       8.50   1019.98
Fナンバー      1.75     5.30
画角          32.91     0.31
像高           5.50     5.50
レンズ全長   676.89   676.89
BF            13.30    13.30
d12            3.45   193.85
d19          291.29     2.00
d25            6.57     6.86
d30            2.99   101.59
d56           13.30    13.30
入射瞳位置   133.56   14151.45
射出瞳位置   170.53   170.53
前側主点位置 142.52   21788.02
後側主点位置   4.80  -1006.68
レンズ群データ
群  始面    焦点距離  レンズ構成長  前側主点位置  後側主点位置
1    1     251.50       125.83        72.26        -19.25
2   13     -24.48        28.48         3.55        -16.91
3   20     138.75        32.30        -6.82        -27.01
4   26     112.91        24.43         2.80        -12.41
5   31      43.14       148.25        59.86         16.09
単レンズデータ
レンズ  始面  焦点距離
1       1   -358.35
2       3    587.21
3       5    995.83
4       7    679.68
5       9    865.78
6      11    773.28
7      13    -35.50
8      15    -37.27
9      16     32.92
10      18    -65.96
11      20    140.91
12      22    193.82
13      24   -171.36
14      26    123.80
15      28   -178.88
16      29    155.51
17      32    -40.45
18      34     74.14
19      36   -220.44
20      38    -50.91
21      39     56.45
22      41    -33.45
23      42     46.29
24      44     77.61
25      46    -33.75
26      47     54.24
27      49     52.17
28      50    -58.60
29      52     62.60
30      54      0.00
31      55      0.00
【００７５】
（数値実施例３）
単位 mm
面データ
面番号      r         d        nd        vd       θgF     有効径   焦点距離
1     1997.02113   6.00000  1.788001   47.37    0.5559    201.809   -452.598
2      303.49132   1.94485  1.000000    0.00    0.0000    194.305      0.000
3      317.22604  19.16858  1.433870   95.10    0.5373    194.184    698.448
4    -7044.93390   0.20000  1.000000    0.00    0.0000    193.324      0.000
5      673.24372   6.00000  1.834000   37.16    0.5776    192.037  -1014.711
6      374.48011   0.79177  1.000000    0.00    0.0000    191.531      0.000
7      345.92209  19.79827  1.433870   95.10    0.5373    192.277    687.598
8    -2170.21310  28.23869  1.000000    0.00    0.0000    192.591      0.000
9      339.68529  21.07732  1.433870   95.10    0.5373    195.857    648.526
10    -1632.16760   0.25000  1.000000    0.00    0.0000    195.369      0.000
11      246.79128  21.92714  1.433870   95.10    0.5373    189.998    593.790
12     5400.98293   1.20000  1.000000    0.00    0.0000    188.446      0.000
13      187.53643  11.51644  1.496999   81.54    0.5375    175.325    938.175
14      306.70190    (可変)  1.000000    0.00    0.0000    173.616      0.000
15     1103.98114   2.35000  1.882997   40.76    0.5667     53.236    -55.722
16       47.31831   9.05657  1.000000    0.00    0.0000     46.288      0.000
17     -168.09946   1.45000  1.772499   49.60    0.5520     45.185    -36.423
18       34.11677  12.95239  1.784696   26.29    0.6135     42.400     34.002
19     -106.21466   3.97667  1.000000    0.00    0.0000     42.344      0.000
20      -44.23990   2.00000  1.696797   55.53    0.5434     42.209    -62.485
21     3833.63644    (可変)  1.000000    0.00    0.0000     44.687      0.000
22      351.03371  10.61832  1.603112   60.64    0.5415     75.410    146.950
23     -117.82607    (可変)  1.000000    0.00    0.0000     76.403      0.000
24      290.65090   9.76622  1.481065   80.00    0.5491     78.612    229.939
25     -177.51317  10.00062  1.000000    0.00    0.0000     78.606      0.000
26     -293.57913   2.50000  1.800000   29.84    0.6017     75.901    -90.084
27       96.88537  10.65365  1.496999   81.54    0.5375     75.809    193.148
28   -14738.01035   1.44166  1.000000    0.00    0.0000     76.297      0.000
29      153.92617  14.20740  1.550000   56.79    0.5581     77.940    117.717
30     -108.86108    (可変)  1.000000    0.00    0.0000     77.886      0.000
31        0.00000   4.90749  1.000000    0.00    0.0000     33.138      0.000
32      -72.13544   1.80000  1.816000   46.62    0.5568     31.537    -39.850
33       60.43089   5.13557  1.808095   22.76    0.6307     31.199     59.455
34     -237.28216   7.55722  1.000000    0.00    0.0000     31.045      0.000
35      -28.78125   1.49977  1.816000   46.62    0.5568     30.225    -24.953
36       72.49578  10.08032  1.548141   45.79    0.5686     33.511     38.544
37      -28.55262  16.01812  1.000000    0.00    0.0000     34.832      0.000
38      194.31854   9.07524  1.531717   48.84    0.5631     38.169     68.490
39      -44.35136   1.49161  1.000000    0.00    0.0000     38.267      0.000
40     -104.49421   1.50000  1.882997   40.76    0.5667     36.056    -38.029
41       50.24421   8.69548  1.518229   58.90    0.5457     35.454     45.865
42      -42.76309   0.49453  1.000000    0.00    0.0000     35.555      0.000
43      151.55145   6.51018  1.496999   81.54    0.5375     33.412     59.851
44      -36.61436   1.50000  1.882997   40.76    0.5667     32.827    -44.960
45     -449.26887   1.00055  1.000000    0.00    0.0000     32.570      0.000
46       79.39231   5.73260  1.522494   59.84    0.5440     32.099     83.818
47      -96.09673  10.00000  1.000000    0.00    0.0000     31.408      0.000
48        0.00000  33.00000  1.608590   46.44    0.5664     40.000      0.000
49        0.00000  13.20000  1.516330   64.14    0.5353     40.000      0.000
50        0.00000   0.00000  1.000000    0.00    0.0000     50.000      0.000
非球面データ
第15面
K =-4.19983e+003  A 4= 1.37571e-006  A 6=-5.93601e-010  A 8= 3.83741e-013
第22面
K = 5.69380e+000  A 4=-3.91680e-007  A 6= 1.02567e-011  A 8=-3.12339e-015
各種データ
ズーム比     79.99
焦点距離      10.00   799.91
Fナンバー      1.80     4.20
画角          28.81     0.39
像高           5.50     5.50
レンズ全長   690.66   690.66
BF            14.38    14.38
d14            3.01   177.17
d21          288.92     2.68
d23            6.57     8.56
d30            9.50   119.59
d50           14.38    14.38
入射瞳位置   156.25   10546.63
射出瞳位置   10358.28   10358.28
前側主点位置 166.26   11408.41
後側主点位置   4.38  -785.53
レンズ群データ
群  始面    焦点距離  レンズ構成長  前側主点位置  後側主点位置
1    1     246.00       138.11        81.41        -19.51
2   15     -28.50        31.79         8.24        -12.45
3   22     146.95        10.62         4.99         -1.68
4   24     143.98        48.57        28.44         -9.57
5   31      60.34       139.20        60.69          7.58
単レンズデータ
レンズ  始面  焦点距離
1       1   -452.60
2       3    698.45
3       5   -1014.71
4       7    687.60
5       9    648.53
6      11    593.79
7      13    938.17
8      15    -55.72
9      17    -36.42
10      18     34.00
11      20    -62.48
12      22    146.95
13      24    229.94
14      26    -90.08
15      27    193.15
16      29    117.72
17      32    -39.85
18      33     59.45
19      35    -24.95
20      36     38.54
21      38     68.49
22      40    -38.03
23      41     45.87
24      43     59.85
25      44    -44.96
26      46     83.82
27      48      0.00
28      49      0.00
【００７６】
（数値実施例４）
単位 mm
面データ
面番号      r         d        nd        vd       θgF     有効径   焦点距離
1     1997.02113   6.00000  1.788001   47.37    0.5559    202.508   -452.598
2      303.49132   1.94485  1.000000    0.00    0.0000    193.630      0.000
3      317.22604  19.16858  1.433870   95.10    0.5373    193.504    698.448
4    -7044.93390   0.20000  1.000000    0.00    0.0000    192.605      0.000
5      673.24372   6.00000  1.834000   37.16    0.5776    192.043  -1014.711
6      374.48011   0.79177  1.000000    0.00    0.0000    191.537      0.000
7      345.92209  19.79827  1.433870   95.10    0.5373    192.284    687.598
8    -2170.21310  28.23869  1.000000    0.00    0.0000    192.597      0.000
9      339.68529  21.07732  1.433870   95.10    0.5373    195.864    648.526
10    -1632.16760   0.25000  1.000000    0.00    0.0000    195.375      0.000
11      246.79128  21.92714  1.433870   95.10    0.5373    190.004    593.790
12     5400.98293   1.20000  1.000000    0.00    0.0000    188.453      0.000
13      187.53643  11.51644  1.496999   81.54    0.5375    175.330    938.175
14      306.70190    (可変)  1.000000    0.00    0.0000    173.622      0.000
15      666.36323   2.35000  1.882997   40.76    0.5667     51.954    -56.045
16       46.23966  15.68085  1.000000    0.00    0.0000     45.151      0.000
17      -54.71087   1.45000  1.772499   49.60    0.5520     40.528    -33.968
18       51.48041  11.67770  1.784696   26.29    0.6135     40.233     32.971
19      -47.64983   1.51263  1.000000    0.00    0.0000     40.113      0.000
20      -39.41957   2.00000  1.696797   55.53    0.5434     39.594    -61.928
21     -445.25561    (可変)  1.000000    0.00    0.0000     41.702      0.000
22      392.08743   9.98245  1.603112   60.64    0.5415     72.303    160.436
23     -127.89507    (可変)  1.000000    0.00    0.0000     72.972      0.000
24      212.44967   5.42401  1.610000   66.61    0.5897     72.827    299.910
25    -1339.55662   0.45908  1.000000    0.00    0.0000     72.583      0.000
26       92.09666  10.74563  1.594100   60.47    0.5551     70.550    149.750
27    -2830.20159   2.00504  1.000000    0.00    0.0000     68.924      0.000
28     -670.29821   2.50000  1.738000   32.26    0.5899     67.852    -74.539
29       60.50316  13.78090  1.496999   81.54    0.5375     63.158    102.487
30     -303.31767    (可変)  1.000000    0.00    0.0000     62.320      0.000
31        0.00000   4.90749  1.000000    0.00    0.0000     33.141      0.000
32      -72.13544   1.80000  1.816000   46.62    0.5568     31.551    -39.850
33       60.43089   5.13557  1.808095   22.76    0.6307     31.222     59.455
34     -237.28216   7.55722  1.000000    0.00    0.0000     31.073      0.000
35      -28.78125   1.49977  1.816000   46.62    0.5568     30.268    -24.953
36       72.49578  10.08032  1.548141   45.79    0.5686     33.581     38.544
37      -28.55262  16.01812  1.000000    0.00    0.0000     34.890      0.000
38      194.31854   9.07524  1.531717   48.84    0.5631     38.291     68.490
39      -44.35136   1.49161  1.000000    0.00    0.0000     38.393      0.000
40     -104.49421   1.50000  1.882997   40.76    0.5667     36.172    -38.029
41       50.24421   8.69548  1.518229   58.90    0.5457     35.570     45.865
42      -42.76309   0.49453  1.000000    0.00    0.0000     35.670      0.000
43      151.55145   6.51018  1.496999   81.54    0.5375     33.515     59.851
44      -36.61436   1.50000  1.882997   40.76    0.5667     32.942    -44.960
45     -449.26887   1.00055  1.000000    0.00    0.0000     32.690      0.000
46       79.39231   5.73260  1.522494   59.84    0.5440     32.222     83.740
47      -95.89540  10.00000  1.000000    0.00    0.0000     31.540      0.000
48        0.00000  33.00000  1.608590   46.44    0.5664     40.000      0.000
49        0.00000  13.20000  1.516330   64.14    0.5353     40.000      0.000
50        0.00000   0.00000  1.000000    0.00    0.0000     50.000      0.000
非球面データ
第15面
K = 4.72082e+002  A 4= 7.67278e-007  A 6=-1.92369e-010  A 8= 6.97920e-014
第22面
K =-1.83194e-001  A 4=-5.32592e-008  A 6= 9.36801e-012  A 8=-3.20753e-015
各種データ
ズーム比     79.99
焦点距離      10.00   799.94
Fナンバー      1.80     4.20
画角          28.81     0.39
像高           5.50     5.50
レンズ全長   675.21   675.21
BF            14.58    14.58
d14            2.81   180.26
d21          284.25     2.77
d23           10.12    32.14
d30            6.57    88.58
d50           14.58    14.58
入射瞳位置   154.79   10513.36
射出瞳位置   9251.24   9251.24
前側主点位置 164.80   11382.58
後側主点位置   4.58  -785.36
レンズ群データ
群  始面    焦点距離  レンズ構成長  前側主点位置  後側主点位置
1    1     246.00       138.11        81.41        -19.51
2   15     -28.50        34.67         7.69        -17.07
3   22     160.44         9.98         4.72         -1.54
4   24     149.07        34.91        -0.37        -23.62
5   31      60.26       139.20        60.66          7.52
単レンズデータ
レンズ  始面  焦点距離
1       1   -452.60
2       3    698.45
3       5   -1014.71
4       7    687.60
5       9    648.53
6      11    593.79
7      13    938.17
8      15    -56.05
9      17    -33.97
10      18     32.97
11      20    -61.93
12      22    160.44
13      24    299.91
14      26    149.75
15      28    -74.54
16      29    102.49
17      32    -39.85
18      33     59.45
19      35    -24.95
20      36     38.54
21      38     68.49
22      40    -38.03
23      41     45.87
24      43     59.85
25      44    -44.96
26      46     83.74
27      48      0.00
28      49      0.00
【００７７】
（数値実施例５）
単位 mm
面データ
面番号      r         d        nd        vd       θgF     有効径   焦点距離
1    33332.47859   6.00000  1.834000   37.16    0.5776    198.634   -409.590
2      340.24101   2.03600  1.000000    0.00    0.0000    190.418      0.000
3      344.25268  28.18653  1.433870   95.10    0.5373    191.470    475.719
4     -505.80567  48.41148  1.000000    0.00    0.0000    192.356      0.000
5      326.78332  21.89757  1.433870   95.10    0.5373    197.368    661.513
6    -2358.83260   0.25000  1.000000    0.00    0.0000    196.711      0.000
7      263.53878  21.41218  1.433870   95.10    0.5373    191.757    633.322
8     5934.91526   1.20000  1.000000    0.00    0.0000    190.105      0.000
9      179.00383  13.19983  1.496999   81.54    0.5375    176.520    889.926
10      292.74699    (可変)  1.000000    0.00    0.0000    174.140      0.000
11      384.40047   2.35000  1.882997   40.76    0.5667     47.354    -53.348
12       42.06050  12.65156  1.000000    0.00    0.0000     41.235      0.000
13      -49.06682   1.45000  1.772499   49.60    0.5520     38.980    -37.521
14       72.58045   8.94805  1.808095   22.76    0.6307     40.654     42.690
15      -63.33619   0.99228  1.000000    0.00    0.0000     41.500      0.000
16      -55.46031   2.00000  1.696797   55.53    0.5434     41.520    -88.853
17     -520.95184    (可変)  1.000000    0.00    0.0000     43.484      0.000
18      344.70661   9.32725  1.550000   56.79    0.5581     74.105    201.567
19     -162.84813   1.00394  1.000000    0.00    0.0000     75.050      0.000
20      160.58274  12.01297  1.438750   94.93    0.5340     76.959    195.485
21     -180.86536   0.45953  1.000000    0.00    0.0000     76.891      0.000
22      232.66532   2.50000  1.749505   35.33    0.5818     75.163   -186.780
23       87.36236   8.42409  1.438750   94.93    0.5340     73.150    266.518
24      332.80482    (可変)  1.000000    0.00    0.0000     72.833      0.000
25      144.41136   2.50000  1.784723   25.68    0.6161     72.235   -241.570
26       81.66182   0.00000  1.000000    0.00    0.0000     70.583      0.000
27       81.66182  14.60442  1.650000   65.49    0.5446     70.583    105.773
28     -413.62644    (可変)  1.000000    0.00    0.0000     69.437      0.000
29        0.00000   4.90749  1.000000    0.00    0.0000     33.106      0.000
30      -72.13544   1.80000  1.816000   46.62    0.5568     31.537    -39.850
31       60.43089   5.13557  1.808095   22.76    0.6307     31.225     59.455
32     -237.28216   7.55722  1.000000    0.00    0.0000     31.084      0.000
33      -28.78125   1.49977  1.816000   46.62    0.5568     30.302    -24.953
34       72.49578  10.08032  1.548141   45.79    0.5686     33.651     38.544
35      -28.55262  16.01812  1.000000    0.00    0.0000     34.952      0.000
36      194.31854   9.07524  1.531717   48.84    0.5631     38.499     68.490
37      -44.35136   1.49161  1.000000    0.00    0.0000     38.613      0.000
38     -104.49421   1.50000  1.882997   40.76    0.5667     36.383    -38.029
39       50.24421   8.69548  1.518229   58.90    0.5457     35.789     45.865
40      -42.76309   0.49453  1.000000    0.00    0.0000     35.888      0.000
41      151.55145   6.51018  1.496999   81.54    0.5375     33.723     59.851
42      -36.61436   1.50000  1.882997   40.76    0.5667     33.177    -44.960
43     -449.26887   1.00055  1.000000    0.00    0.0000     32.935      0.000
44       79.39231   5.73260  1.522494   59.84    0.5440     32.477     83.513
45      -95.31687  10.00000  1.000000    0.00    0.0000     31.814      0.000
46        0.00000  33.00000  1.608590   46.44    0.5664     40.000      0.000
47        0.00000  13.20000  1.516330   64.14    0.5353     40.000      0.000
48        0.00000   0.00000  1.000000    0.00    0.0000     50.000      0.000
非球面データ
第11面
K =-4.43414e+002  A 4= 1.52589e-006  A 6=-1.16556e-009  A 8= 7.19751e-013
第18面
K =-2.88705e+001  A 4=-8.51214e-008  A 6=-4.37458e-012  A 8= 1.73345e-016
各種データ
ズーム比     80.00
焦点距離      10.00   799.97
Fナンバー      1.80     4.20
画角          28.81     0.39
像高           5.50     5.50
レンズ全長   679.50   679.50
BF            15.06    15.06
d10            2.69   182.62
d17          278.04     4.61
d24           18.70     7.16
d28            3.99   109.03
d48           15.06    15.06
入射瞳位置   158.24   10362.74
射出瞳位置   7061.09   7061.09
前側主点位置 168.26   11253.53
後側主点位置   5.06  -784.91
レンズ群データ
群  始面    焦点距離  レンズ構成長  前側主点位置  後側主点位置
1    1     247.00       142.59        90.49        -17.97
2   11     -28.27        28.39         6.14        -14.51
3   18     117.30        33.73         4.31        -18.51
4   25     188.68        17.10         2.60         -7.76
5   29      60.05       139.20        60.56          7.35
単レンズデータ
レンズ  始面  焦点距離
1       1   -409.59
2       3    475.72
3       5    661.51
4       7    633.32
5       9    889.93
6      11    -53.35
7      13    -37.52
8      14     42.69
9      16    -88.85
10      18    201.57
11      20    195.49
12      22   -186.78
13      23    266.52
14      25   -241.57
15      27    105.77
16      30    -39.85
17      31     59.45
18      33    -24.95
19      34     38.54
20      36     68.49
21      38    -38.03
22      39     45.87
23      41     59.85
24      42    -44.96
25      44     83.51
26      46      0.00
27      47      0.00
【００７８】
（数値実施例６）
単位 mm
面データ
面番号      r         d        nd        vd       θgF     有効径   焦点距離
1     -172.25313   2.20000  1.784696   26.29    0.6135     76.109    -95.385
2      135.23396   5.53007  1.000000    0.00    0.0000     73.403      0.000
3      172.95252  12.74479  1.433870   95.10    0.5373     73.980    158.727
4     -112.34329   8.24010  1.000000    0.00    0.0000     73.915      0.000
5      409.00410   5.29192  1.433870   95.10    0.5373     71.280    374.699
6     -269.88195   0.15000  1.000000    0.00    0.0000     70.943      0.000
7      112.69156   7.89772  1.592400   68.30    0.5456     67.637    153.087
8     -460.51060   0.15000  1.000000    0.00    0.0000     66.934      0.000
9       56.56109   6.06486  1.772499   49.60    0.5520     59.435    127.976
10      125.19688    (可変)  1.000000    0.00    0.0000     58.610      0.000
11       65.16148   0.90000  1.882997   40.76    0.5667     24.989    -19.313
12       13.49005   5.31028  1.000000    0.00    0.0000     19.965      0.000
13      -81.36169   6.64135  1.808095   22.76    0.6307     19.801     17.849
14      -12.81251   0.70000  1.882997   40.76    0.5667     19.265    -11.703
15       56.47299   0.20000  1.000000    0.00    0.0000     18.773      0.000
16       23.62526   2.45646  1.666800   33.05    0.5957     18.971     62.560
17       51.72419    (可変)  1.000000    0.00    0.0000     18.624      0.000
18      -27.80463   0.70000  1.756998   47.82    0.5565     18.094    -22.712
19       46.13958   2.71419  1.846490   23.90    0.6217     19.508     50.067
20     -574.94612    (可変)  1.000000    0.00    0.0000     20.119      0.000
21     -205.16612   3.43172  1.638539   55.38    0.5484     24.632     66.340
22      -35.46686   0.15000  1.000000    0.00    0.0000     25.322      0.000
23       82.24491   3.58902  1.650000   54.96    0.5784     26.352     63.942
24      -83.29734    (可変)  1.000000    0.00    0.0000     26.416      0.000
25        0.00000   1.30000  1.000000    0.00    0.0000     25.563      0.000
26       57.58306   4.87941  1.517417   52.43    0.5564     25.189     42.763
27      -35.15013   0.90000  1.834807   42.71    0.5642     24.895    -33.940
28      152.15872  32.40000  1.000000    0.00    0.0000     24.660      0.000
29       72.51198   4.20816  1.496999   81.54    0.5375     25.282     59.141
30      -48.71390   0.29973  1.000000    0.00    0.0000     25.130      0.000
31     -452.66270   1.40000  1.834030   37.20    0.5775     24.681    -25.616
32       22.60476   6.06238  1.487490   70.23    0.5300     24.225     45.070
33     -812.83384   0.19552  1.000000    0.00    0.0000     24.698      0.000
34       82.25723   6.38435  1.501270   56.50    0.5536     25.040     39.708
35      -25.71798   1.40000  1.834807   42.71    0.5642     25.201    -44.624
36      -84.08579   4.43324  1.000000    0.00    0.0000     26.159      0.000
37       59.24141   5.91427  1.501270   56.50    0.5536     27.687     50.583
38      -43.16319   4.00000  1.000000    0.00    0.0000     27.646      0.000
39        0.00000  33.00000  1.608590   46.44    0.5664     40.000      0.000
40        0.00000  13.20000  1.516330   64.14    0.5353     40.000      0.000
41        0.00000   0.00000  1.000000    0.00    0.0000     40.000      0.000
各種データ
ズーム比     17.00
焦点距離       8.00   136.00
Fナンバー      1.90     2.50
画角          34.51     2.32
像高           5.50     5.50
レンズ全長   264.00   264.00
BF             7.50     7.50
d10            0.91    47.13
d17           48.85    11.72
d20            6.60     1.70
d24            5.10     0.91
d41            7.50     7.50
入射瞳位置    46.07   564.31
射出瞳位置   237.50   237.50
前側主点位置  54.35   780.73
後側主点位置  -0.50  -128.50
レンズ群データ
群  始面    焦点距離  レンズ構成長  前側主点位置  後側主点位置
1    1      61.00        48.27        33.00          3.70
2   11     -13.50        16.21         2.23         -8.49
3   18     -42.12         3.41        -0.15         -2.02
4   21      32.76         7.17         2.92         -1.50
5   25      46.05       119.98        55.70        -28.24
単レンズデータ
レンズ  始面  焦点距離
1       1    -95.38
2       3    158.73
3       5    374.70
4       7    153.09
5       9    127.98
6      11    -19.31
7      13     17.85
8      14    -11.70
9      16     62.56
10      18    -22.71
11      19     50.07
12      21     66.34
13      23     63.94
14      26     42.76
15      27    -33.94
16      29     59.14
17      31    -25.62
18      32     45.07
19      34     39.71
20      35    -44.62
21      37     50.58
22      39      0.00
23      40      0.00
【００７９】
（数値実施例７）
単位 mm
面データ
面番号      r         d        nd        vd       θgF     有効径   焦点距離
1     -170.00528   2.20000  1.784696   26.29    0.6135     76.079    -95.137
2      136.01754   5.78218  1.000000    0.00    0.0000     73.371      0.000
3      162.00413  12.79137  1.433870   95.10    0.5373     73.939    157.726
4     -116.14887   8.23583  1.000000    0.00    0.0000     73.826      0.000
5      413.98231   6.04481  1.433870   95.10    0.5373     71.106    318.902
6     -207.68179   0.15000  1.000000    0.00    0.0000     70.723      0.000
7      129.79145   7.09898  1.592400   68.30    0.5456     66.946    170.747
8     -456.20199   0.15000  1.000000    0.00    0.0000     66.214      0.000
9       54.79325   6.20549  1.772499   49.60    0.5520     59.440    126.004
10      118.42835    (可変)  1.000000    0.00    0.0000     58.585      0.000
11       56.67013   0.90000  1.882997   40.76    0.5667     24.774    -20.090
12       13.46877   5.59071  1.000000    0.00    0.0000     19.856      0.000
13      -68.90399   6.70299  1.808095   22.76    0.6307     19.516     17.792
14      -12.52154   0.70000  1.882997   40.76    0.5667     18.890    -11.642
15       60.91223   0.20000  1.000000    0.00    0.0000     18.333      0.000
16       24.15447   2.58574  1.666800   33.05    0.5957     18.447     65.492
17       51.27566    (可変)  1.000000    0.00    0.0000     18.019      0.000
18      -25.06044   0.70000  1.756998   47.82    0.5565     18.029    -20.597
19       42.31942   2.73065  1.846490   23.90    0.6217     19.686     46.933
20     -748.76753    (可変)  1.000000    0.00    0.0000     20.309      0.000
21        0.00000   1.30000  1.000000    0.00    0.0000     24.708      0.000
22     -333.03086   3.69795  1.638539   55.38    0.5484     25.536     61.478
23      -35.40479   0.15000  1.000000    0.00    0.0000     26.233      0.000
24       71.87938   3.96919  1.550000   56.79    0.5581     27.437     70.302
25      -82.78283   0.18976  1.000000    0.00    0.0000     27.513      0.000
26       43.76571   5.62942  1.517417   52.43    0.5564     27.138     43.023
27      -43.71380   0.90000  1.834807   42.71    0.5642     26.738    -36.406
28      102.52852    (可変)  1.000000    0.00    0.0000     26.271      0.000
29       67.11239   4.84028  1.496999   81.54    0.5375     27.023     55.699
30      -46.21590   0.29986  1.000000    0.00    0.0000     27.020      0.000
31     -134.94555   1.40000  1.834030   37.20    0.5775     26.489    -25.473
32       25.52582   6.24637  1.487490   70.23    0.5300     26.039     48.971
33     -357.73736   0.19737  1.000000    0.00    0.0000     26.488      0.000
34       45.62415   7.42507  1.501270   56.50    0.5536     27.085     37.198
35      -30.02874   1.40000  1.834807   42.71    0.5642     26.971    -45.300
36     -145.80401   0.14999  1.000000    0.00    0.0000     27.518      0.000
37       44.02109   5.04481  1.501270   56.50    0.5536     27.812     60.113
38      -93.08053   4.00000  1.000000    0.00    0.0000     27.532      0.000
39        0.00000  33.00000  1.608590   46.44    0.5664     40.000      0.000
40        0.00000  13.20000  1.516330   64.14    0.5353     40.000      0.000
41        0.00000   0.00000  1.000000    0.00    0.0000     40.000      0.000
各種データ
ズーム比     17.00
焦点距離       8.00   136.00
Fナンバー      1.90     2.50
画角          34.51     2.32
像高           5.50     5.50
レンズ全長   261.76   261.76
BF             7.52     7.52
d10            0.88    47.09
d17           48.59    11.55
d20            5.54     1.40
d28           37.42    32.39
d41            7.52     7.52
入射瞳位置    46.11   515.34
射出瞳位置   203.93   350.06
前側主点位置  54.44   705.33
後側主点位置  -0.48  -128.48
レンズ群データ
群  始面    焦点距離  レンズ構成長  前側主点位置  後側主点位置
1    1      61.00        48.66        33.38          3.90
2   11     -13.50        16.68         2.43         -8.61
3   18     -37.17         3.43        -0.11         -1.99
4   21      34.05        15.84         2.01         -8.03
5   29      48.02        77.20        12.21        -39.97
単レンズデータ
レンズ  始面  焦点距離
1       1    -95.14
2       3    157.73
3       5    318.90
4       7    170.75
5       9    126.00
6      11    -20.09
7      13     17.79
8      14    -11.64
9      16     65.49
10      18    -20.60
11      19     46.93
12      22     61.48
13      24     70.30
14      26     43.02
15      27    -36.41
16      29     55.70
17      31    -25.47
18      32     48.97
19      34     37.20
20      35    -45.30
21      37     60.11
22      39      0.00
23      40      0.00
【００８０】
（数値実施例８）
単位 mm
面データ
面番号      r         d        nd        vd       θgF     有効径   焦点距離
1      157.87624   2.70000  1.772499   49.60    0.5520     82.798    -79.651
2       44.09552  22.44386  1.000000    0.00    0.0000     68.646      0.000
3     -118.28065   2.20000  1.800999   34.97    0.5864     68.261    -97.660
4      237.63537   1.88210  1.000000    0.00    0.0000     68.898      0.000
5      130.90281   6.93832  1.959060   17.47    0.6598     70.430    119.569
6    -1008.07137   0.50000  1.000000    0.00    0.0000     70.284      0.000
7      145.79472   9.77899  1.603112   60.64    0.5415     69.061    113.528
8     -126.77006   8.79287  1.000000    0.00    0.0000     68.606      0.000
9      -69.40225   4.00000  1.846660   23.78    0.6205     63.450   -591.684
10      -82.57357  15.86847  1.000000    0.00    0.0000     64.775      0.000
11      390.80852   1.39709  1.846660   23.78    0.6205     60.815    -94.171
12       66.65413   9.60384  1.496999   81.54    0.5375     59.814    116.917
13     -441.50890   0.20000  1.000000    0.00    0.0000     59.922      0.000
14      273.05715   3.82587  1.496999   81.54    0.5375     60.048    389.949
15     -671.37473   0.20000  1.000000    0.00    0.0000     59.983      0.000
16      181.02490   7.63774  1.772499   49.60    0.5520     59.644     94.918
17     -121.95153    (可変)  1.000000    0.00    0.0000     59.341      0.000
18       91.94385   1.20000  2.001000   29.13    0.5997     33.350    -55.625
19       34.62534   5.88263  1.000000    0.00    0.0000     30.694      0.000
20      -59.26290   1.20000  1.882997   40.76    0.5667     30.500    -51.503
21      202.40417    (可変)  1.000000    0.00    0.0000     30.266      0.000
22      202.40417   5.05056  1.720467   34.71    0.5834     30.329     45.152
23      -38.66556   0.00000  1.000000    0.00    0.0000     30.253      0.000
24      -38.66556   1.00000  1.496999   81.54    0.5375     30.253   -103.065
25     -157.65599    (可変)  1.000000    0.00    0.0000     29.591      0.000
26      -33.05805   1.00000  1.772499   49.60    0.5520     26.348    -32.523
27      108.22154   3.67031  1.922860   18.90    0.6495     28.428     51.730
28      -85.90396    (可変)  1.000000    0.00    0.0000     29.002      0.000
29      179.67410   4.42838  1.610000   66.61    0.5897     37.265    149.825
30     -185.64027    (可変)  1.000000    0.00    0.0000     37.703      0.000
31        0.00000   1.50000  1.000000    0.00    0.0000     38.141      0.000
32       63.18169   4.44032  1.772499   49.60    0.5520     38.858     84.781
33     1534.52473   0.15000  1.000000    0.00    0.0000     38.568      0.000
34       75.69069   7.84335  1.487490   70.23    0.5300     37.777     62.037
35      -48.92769   1.00000  1.882997   40.76    0.5667     37.080    -59.489
36     -667.95420  10.38853  1.000000    0.00    0.0000     36.565      0.000
37       78.48389   5.03679  1.603112   60.64    0.5415     33.190     64.857
38      -76.69431   0.10000  1.000000    0.00    0.0000     32.692      0.000
39       23.10484   6.06111  1.487490   70.23    0.5300     27.085     47.608
40     2693.32377   1.00000  1.805181   25.42    0.6161     25.268    -25.250
41       20.36070   5.62684  1.000000    0.00    0.0000     21.796      0.000
42       63.84028   4.33099  1.487490   70.23    0.5300     20.948     40.916
43      -28.50367   1.00000  2.000690   25.46    0.6133     20.804    -19.214
44       61.86722   6.52947  1.000000    0.00    0.0000     21.315      0.000
45       88.94225   6.01218  1.922860   18.90    0.6495     25.678     21.631
46      -25.29781   1.00000  2.000690   25.46    0.6133     25.949    -38.601
47      -73.48637   0.00000  1.000000    0.00    0.0000     26.678      0.000
非球面データ
第1面
K = 1.06194e+001  A 4= 1.26732e-007  A 6=-3.00539e-011  A 8=-1.45068e-013  A10= 3.55938e-017
A12= 1.42524e-020  A14=-1.30677e-023  A16=-3.70962e-028
第7面
K =-1.16548e+001  A 4=-6.61666e-008  A 6=-5.20005e-011  A 8= 1.14606e-013  A10=-8.73335e-017
A12= 2.89948e-020  A14= 2.12949e-023  A16=-1.41772e-026
各種データ
ズーム比      5.93
焦点距離      21.23   125.96
Fナンバー      2.77     3.66
画角          34.88     6.70
像高          14.80    14.80
レンズ全長   314.68   314.68
BF            50.02    50.02
d17            0.33    64.68
d21            4.00     1.50
d25           41.85     5.25
d28           25.88     2.00
d30            9.18     7.81
d47           50.02    50.02
入射瞳位置    57.66   163.17
射出瞳位置   -53.12   -53.12
前側主点位置  74.52   135.30
後側主点位置  28.79   -75.94
レンズ群データ
群  始面    焦点距離  レンズ構成長  前側主点位置  後側主点位置
1    1      68.46        97.97        69.77         43.18
2   18     -25.40         8.28         3.76         -3.08
3   22      80.00         6.05         2.28         -1.34
4   26     -95.00         4.67        -2.62         -5.22
5   29     149.83         4.43         1.36         -1.40
6   31      70.37        62.02         0.11        -53.01
単レンズデータ
レンズ  始面  焦点距離
1       1    -79.65
2       3    -97.66
3       5    119.57
4       7    113.53
5       9   -591.68
6      11    -94.17
7      12    116.92
8      14    389.95
9      16     94.92
10      18    -55.62
11      20    -51.50
12      22     45.15
13      24   -103.07
14      26    -32.52
15      27     51.73
16      29    149.83
17      32     84.78
18      34     62.04
19      35    -59.49
20      37     64.86
21      39     47.61
22      40    -25.25
23      42     40.92
24      43    -19.21
25      45     21.63
26      46    -38.60
【００８１】
（数値実施例９）
単位 mm
面データ
面番号      r         d        nd        vd       θgF     有効径   焦点距離
1       96.86248   2.70000  1.772499   49.60    0.5520     53.180    -56.648
2       29.87365  14.93401  1.000000    0.00    0.0000     43.555      0.000
3      -59.84640   1.98000  1.772499   49.60    0.5520     42.491    -61.249
4      234.57846   4.44973  1.000000    0.00    0.0000     42.494      0.000
5       80.05109   2.80421  1.892860   20.36    0.6393     43.420    229.349
6      128.30687   2.00904  1.000000    0.00    0.0000     43.109      0.000
7      116.30702   6.90865  1.620411   60.29    0.5427     42.981     77.414
8      -80.48800   0.20000  1.000000    0.00    0.0000     42.617      0.000
9       96.92644   1.89000  1.854780   24.80    0.6122     39.223    -74.840
10       38.40700   6.69455  1.496999   81.54    0.5375     38.803     82.585
11      540.05066   3.33494  1.000000    0.00    0.0000     39.140      0.000
12      111.01318   5.08669  1.595220   67.74    0.5442     40.703    103.486
13     -137.08615   0.18000  1.000000    0.00    0.0000     40.797      0.000
14       59.09944   4.44123  1.763850   48.51    0.5587     40.326     94.956
15      302.21124    (可変)  1.000000    0.00    0.0000     39.766      0.000
16      203.65455   1.26000  1.882997   40.76    0.5667     24.456    -34.995
17       26.88700   3.72008  1.000000    0.00    0.0000     23.252      0.000
18     -175.36510   1.08000  1.595220   67.74    0.5442     23.387    -43.461
19       30.54076   4.14723  1.854780   24.80    0.6122     24.070     32.358
20     -305.16634   2.83889  1.000000    0.00    0.0000     24.103      0.000
21      -43.93394   1.08000  1.763850   48.51    0.5587     24.068    -49.989
22      306.33259    (可変)  1.000000    0.00    0.0000     24.763      0.000
23        0.00000    (可変)  1.000000    0.00    0.0000     26.026      0.000
24       43.16485   3.52103  1.640000   66.08    0.5581     27.844     85.000
25      188.60353    (可変)  1.000000    0.00    0.0000     27.851      0.000
26       67.76542   4.51522  1.594100   60.47    0.5551     28.149     64.912
27      -88.06897   0.18000  1.000000    0.00    0.0000     28.047      0.000
28       44.72456   1.49040  2.001000   29.13    0.5997     27.080    -72.298
29       27.26309   4.52248  1.438750   94.93    0.5340     25.865     72.740
30      174.99947    (可変)  1.000000    0.00    0.0000     25.471      0.000
31       43.75566   3.11356  1.959060   17.47    0.6598     25.207     69.730
32      119.15309   1.49040  2.000690   25.46    0.6133     24.681    -50.549
33       35.51484   3.85284  1.000000    0.00    0.0000     23.878      0.000
34     1037.70655   3.46743  1.487490   70.23    0.5300     24.178     82.667
35      -42.02985   0.18000  1.000000    0.00    0.0000     24.339      0.000
36      149.31120   6.63214  1.496999   81.54    0.5375     23.978     43.945
37      -25.29159   1.68480  1.953750   32.32    0.5898     23.483    -29.680
38     -231.05482   0.00000  1.000000    0.00    0.0000     24.046      0.000
非球面データ
第1面
K = 5.33018e+000  A 4= 1.90388e-007  A 6= 3.26449e-011  A 8=-6.52481e-013
第16面
K = 0.00000e+000  A 4= 3.88118e-007  A 6=-7.58160e-010  A 8=-2.06795e-012
第25面
K = 0.00000e+000  A 4= 4.46779e-006  A 6= 5.84434e-010  A 8= 6.08103e-013
各種データ
ズーム比      4.74
焦点距離      19.00    90.00
Fナンバー      4.00     4.00
画角          39.30     9.80
像高          15.55    15.55
レンズ全長   220.06   220.06
BF            44.18    44.18
d15            1.03    28.41
d22           30.25     2.87
d23            9.04     1.46
d25           27.49     0.98
d30            1.67    35.77
d38           44.18    44.18
入射瞳位置    33.68    52.04
射出瞳位置   -82.98   -47.52
前側主点位置  49.84    53.71
後側主点位置  25.18   -45.82
レンズ群データ
群  始面    焦点距離  レンズ構成長  前側主点位置  後側主点位置
1    1      45.00        57.61        43.45         31.50
2   16     -22.80        14.13         4.01         -5.81
3   23       ∞           0.00         0.00         -0.00
4   24      85.00         3.52        -0.63         -2.74
5   26      65.00        10.71        -0.46         -7.20
6   31    -407.16        20.42        45.01         27.75
単レンズデータ
レンズ  始面  焦点距離
1       1    -56.65
2       3    -61.25
3       5    229.35
4       7     77.41
5       9    -74.84
6      10     82.58
7      12    103.49
8      14     94.96
9      16    -35.00
10      18    -43.46
11      19     32.36
12      21    -49.99
13      24     85.00
14      26     64.91
15      28    -72.30
16      29     72.74
17      31     69.73
18      32    -50.55
19      34     82.67
20      36     43.95
21      37    -29.68
【００８２】
（数値実施例１０）
単位 mm
面データ
面番号      r         d        nd        vd       θgF     有効径   焦点距離
1       83.40942   2.50000  1.772499   49.60    0.5520     76.032    -60.083
2       29.52016  16.93347  1.000000    0.00    0.0000     55.785      0.000
3       63.80157   2.00000  1.772499   49.60    0.5520     53.046    -81.276
4       31.28665  18.01064  1.000000    0.00    0.0000     46.740      0.000
5      -56.87085   2.00000  1.589130   61.14    0.5407     46.378   -107.186
6     -559.99013   1.50131  1.000000    0.00    0.0000     48.941      0.000
7       70.89325   5.61031  1.922860   18.90    0.6495     54.695    115.121
8      200.02514   3.92516  1.000000    0.00    0.0000     54.570      0.000
9      804.20317   7.70463  1.487490   70.23    0.5300     54.915    140.670
10      -75.00949   5.44967  1.000000    0.00    0.0000     55.054      0.000
11      463.19033   2.00000  1.846660   23.78    0.6205     52.000    -53.243
12       41.36844  11.99985  1.487490   70.23    0.5300     50.324     69.688
13     -175.22664   0.15000  1.000000    0.00    0.0000     50.590      0.000
14       95.75574  11.57429  1.496999   81.54    0.5375     51.139     73.268
15      -56.66353   0.15000  1.000000    0.00    0.0000     50.898      0.000
16       47.94255   4.19493  1.772499   49.60    0.5520     42.435    105.977
17      110.52531    (可変)  1.000000    0.00    0.0000     41.513      0.000
18      447.08286   1.20000  1.754999   52.32    0.5475     25.824    -31.655
19       22.75827   4.31997  1.000000    0.00    0.0000     22.669      0.000
20     -117.75069   1.20000  1.496999   81.54    0.5375     22.309    -38.287
21       22.85307   4.00578  1.784696   26.29    0.6135     23.248     36.478
22      101.01604   4.24646  1.000000    0.00    0.0000     23.190      0.000
23      -25.39555   1.20000  1.834000   37.16    0.5776     23.277   -119.993
24      -34.69065    (可変)  1.000000    0.00    0.0000     24.228      0.000
25      216.38909   2.73782  1.650000   65.49    0.5446     25.483    103.038
26      -97.01782   0.20000  1.000000    0.00    0.0000     25.712      0.000
27       62.54065   5.16939  1.496999   81.54    0.5375     25.900     47.770
28      -37.39341   1.40000  1.834000   37.16    0.5776     25.764    -76.834
29      -90.51999    (可変)  1.000000    0.00    0.0000     25.941      0.000
30        0.00000   1.41730  1.000000    0.00    0.0000     24.381      0.000
31       44.51387   5.87426  1.761821   26.52    0.6136     23.995     33.563
32      -57.83050   1.50000  1.720467   34.71    0.5834     23.038    -30.933
33       37.06364  10.67704  1.000000    0.00    0.0000     21.624      0.000
34      129.26405   1.50000  1.834000   37.16    0.5776     20.353    -81.418
35       44.46677   5.51923  1.496999   81.54    0.5375     20.028     46.878
36      -47.20977   5.45100  1.000000    0.00    0.0000     19.783      0.000
37       38.04520   5.67278  1.496999   81.54    0.5375     21.693     34.059
38      -29.13681   1.50000  1.834000   37.16    0.5776     21.605    -18.694
39       34.79564   4.99976  1.000000    0.00    0.0000     22.208      0.000
40       42.34653   6.97301  1.487490   70.23    0.5300     27.140     42.150
41      -38.00680   0.00000  1.000000    0.00    0.0000     27.783      0.000
非球面データ
第1面
K = 0.00000e+000  A 4= 1.86640e-006  A 6=-6.57382e-010  A 8= 8.07136e-013  A10=-4.17237e-016
A12= 1.14703e-019
各種データ
ズーム比      2.86
焦点距離      14.00    40.00
Fナンバー      2.80     2.80
画角          48.00    21.24
像高          15.55    15.55
レンズ全長   251.95   251.95
BF            40.00    40.00
d17            2.14    26.83
d24           28.67     1.20
d29            8.67    11.45
d41           40.00    40.00
入射瞳位置    34.68    47.44
射出瞳位置   -71.89   -71.89
前側主点位置  46.92    73.14
後側主点位置  26.00    -0.00
レンズ群データ
群  始面    焦点距離  レンズ構成長  前側主点位置  後側主点位置
1    1      25.00        95.70        45.95         42.40
2   18     -24.00        16.17         2.87         -9.43
3   25      56.49         9.51         1.92         -4.22
4   30      83.93        51.08        34.28        -13.94
単レンズデータ
レンズ  始面  焦点距離
1       1    -60.08
2       3    -81.28
3       5   -107.19
4       7    115.12
5       9    140.67
6      11    -53.24
7      12     69.69
8      14     73.27
9      16    105.98
10      18    -31.65
11      20    -38.29
12      21     36.48
13      23   -119.99
14      25    103.04
15      27     47.77
16      28    -76.83
17      31     33.56
18      32    -30.93
19      34    -81.42
20      35     46.88
21      37     34.06
22      38    -18.69
23      40     42.15
【００８３】
（数値実施例１１）
単位 mm
面データ
面番号      r         d        nd        vd       θgF     有効径   焦点距離
1      143.04315   3.48333  1.846660   23.78    0.6205     59.141   -136.071
2       63.44025   9.81703  1.696797   55.53    0.5434     57.551     87.708
3    -1767.14102   0.73333  1.000000    0.00    0.0000     57.154      0.000
4       57.66447   6.37893  1.772499   49.60    0.5520     54.967    128.709
5      129.79187    (可変)  1.000000    0.00    0.0000     53.615      0.000
6       68.24248   2.01666  1.882997   40.76    0.5667     26.502    -28.857
7       18.37298   6.64951  1.000000    0.00    0.0000     21.504      0.000
8      -62.50032   1.83333  1.772499   49.60    0.5520     19.089    -17.300
9       17.32182   3.54911  1.000000    0.00    0.0000     17.345      0.000
10       23.68480   3.95185  1.922860   18.90    0.6495     18.112     43.236
11       52.64143    (可変)  1.000000    0.00    0.0000     17.343      0.000
12        0.00000   4.03333  1.000000    0.00    0.0000     22.946      0.000
13       30.91262  10.26890  1.594100   60.47    0.5551     24.606     36.293
14      -63.25048   1.49903  1.000000    0.00    0.0000     23.854      0.000
15       39.77849   2.20000  1.846660   23.78    0.6205     22.085    -76.467
16       24.10132    (可変)  1.000000    0.00    0.0000     20.628      0.000
17       53.56348  10.68181  1.658441   50.88    0.5560     17.927     22.542
18      -19.02427   1.83333  1.846660   23.78    0.6205     16.211    -46.195
19      -38.33160    (可変)  1.000000    0.00    0.0000     15.968      0.000
20        0.00000   8.72665  1.516330   64.14    0.5353     36.667      0.000
21        0.00000   0.00000  1.000000    0.00    0.0000     36.667      0.000
非球面データ
第13面
K =-4.84987e+000  A 4= 1.11538e-005  A 6=-2.88239e-008  A 8= 3.73533e-011
各種データ
ズーム比     24.92
焦点距離       9.75   243.02
Fナンバー      1.85     4.16
画角          29.42     1.30
像高           5.50     5.50
レンズ全長   185.52   185.52
BF             5.99     5.99
d 5            2.18    59.33
d11           60.96     4.32
d16           22.72    33.84
d19           16.02     4.39
d21            5.99     5.99
入射瞳位置    40.61   833.02
射出瞳位置  -461.24   277.06
前側主点位置  50.15   1293.90
後側主点位置  -3.77  -237.03
レンズ群データ
群  始面    焦点距離  レンズ構成長  前側主点位置  後側主点位置
1    1      86.76        20.41         3.67         -8.28
2    6     -13.82        18.00         3.88        -10.10
3   12      56.18        18.00        -0.54        -12.32
4   17      42.63        12.52         4.33         -3.51
5   20       ∞           8.73         2.87         -2.87
単レンズデータ
レンズ  始面  焦点距離
1       1   -136.07
2       2     87.71
3       4    128.71
4       6    -28.86
5       8    -17.30
6      10     43.24
7      13     36.29
8      15    -76.47
9      17     22.54
10      18    -46.19
11      20      0.00
【００８４】
【表１】
2020012870.tif 000004
【符号の説明】
【００８５】
Ｌ１  正の屈折力を有する第１レンズ群
Ｌ２  負の屈折力を有する第２レンズ群
Ｌ３−Ｌ６  変倍のために移動する少なくとも１つのレンズ群
【図１】
2020012870.tif 000005
【図２】
2020012870.tif 000006
【図３】
2020012870.tif 000007
【図４】
2020012870.tif 000008
【図５】
2020012870.tif 000009
【図６】
2020012870.tif 000010
【図７】
2020012870.tif 000011
【図８】
2020012870.tif 000012
【図９】
2020012870.tif 000013
【図１０】
2020012870.tif 000014
【図１１】
2020012870.tif 000015
【図１２】
2020012870.tif 000016
【図１３】
2020012870.tif 000017
【図１４】
2020012870.tif 000018
【図１５】
2020012870.tif 000019
【図１６】
2020012870.tif 000020
【図１７】
2020012870.tif 000021
【図１８】
2020012870.tif 000022
【図１９】
2020012870.tif 000023
【図２０】
2020012870.tif 000024
【図２１】
2020012870.tif 000025
【図２２】
2020012870.tif 000026
【図２３】
2020012870.tif 000027
【図２４】
2020012870.tif 000028